(57)【要約】【課題】調剤業務の効率を向上させることが可能な調剤支援システム、調剤支援方法、及び調剤支援プログラムを提供すること。【解決手段】調剤支援システムは、調剤機器に実装されている薬品の種類及び数量の少なくとも一方の情報を含む実装情報を取得する取得処理部と、前記調剤機器により複数の処方データに対応する調剤動作が実行される場合に、前記複数の処方データと前記実装情報とに基づいて、前記複数の処方データに対応する調剤動作を実行するために必要となる薬品の準備に関する作業内容を示す作業情報を出力する出力処理部とを備える。【選択図】図２０
2019202118.tif 000002
【特許請求の範囲】
【請求項１】
調剤機器に実装されている薬品の種類及び数量の少なくとも一方の情報を含む実装情報を取得する取得処理部と、
前記調剤機器により複数の処方データに対応する調剤動作が実行される場合に、前記複数の処方データと前記実装情報とに基づいて、前記複数の処方データに対応する調剤動作を実行するために必要となる薬品の準備に関する作業内容を示す作業情報を出力する出力処理部と、
を備える、調剤支援システム。
【請求項２】
前記作業情報には、前記薬品の準備に関する作業タイミングを示す情報が含まれる、
請求項１に記載の調剤支援システム。
【請求項３】
前記出力処理部は、前記複数の処方データに対応する調剤動作において、遅くとも第１タイミングまでに前記調剤機器に第１薬品を充填する必要があり、遅くとも前記第１タイミングよりも後の第２タイミングまでに前記調剤機器に第２薬品を充填する必要がある場合に、前記第１薬品及び前記第２薬品の両方を前記第１タイミングと同じか又は前記第１タイミングよりも前のタイミングである第３タイミングで前記調剤機器に充填すべきことを示す前記作業情報を出力する、
請求項１又は請求項２に記載の調剤支援システム。
【請求項４】
前記出力処理部は、前記複数の処方データに対応する調剤動作において、遅くとも第１タイミングまでに前記調剤機器に第１カセットを装着する必要があり、遅くとも前記第１タイミングよりも後の第２タイミングまでに前記調剤機器に第２カセットを装着する必要がある場合に、前記第１カセット及び前記第２カセットの両方を前記第１タイミングと同じか又は前記第１タイミングよりも前のタイミングである第３タイミングで前記調剤機器に装着すべきことを示す前記作業情報を出力する、
請求項１又は請求項２に記載の調剤支援システム。
【請求項５】
前記第３タイミングは、前記複数の処方データにおける任意の処方データの調剤動作が開始される直前のタイミング、又は任意の処方データの調剤動作が終了した直後のタイミングである、
請求項３又は請求項４に記載の調剤支援システム。
【請求項６】
前記複数の処方データを複数のグループにグループ化し、前記グループごとに順次に調剤動作が実行されるように前記複数の処方データに対応する調剤動作の実行順序を決定する決定処理部を更に備える、
請求項１〜５のいずれかに記載の調剤支援システム。
【請求項７】
前記決定処理部は、前記複数の処方データを手撒き作業が必要なグループと手撒き作業が不要なグループとにグループ化し、いずれか一方のグループに対応する調剤動作の実行後に他方のグループに対応する調剤動作が実行されるように、前記複数の処方データに対応する調剤動作の実行順序を決定する、
請求項６に記載の調剤支援システム。
【請求項８】
前記処方データ各々には、前記調剤機器により調剤された薬品の配送先を示す情報が関連付けられており、
前記決定処理部は、前記複数の処方データを前記配送先ごとにグループ化し、前記グループごとに順次に調剤動作が実行されるように、前記複数の処方データに対応する調剤動作の実行順序を決定する、
請求項６に記載の調剤支援システム。
【請求項９】
前記決定処理部は、前記グループ各々において、前記グループに含まれる前記処方データを手撒き作業が必要なサブグループと手撒き作業が不要なサブグループとにグループ化し、いずれか一方のサブグループに対応する調剤動作の実行後に他方のサブグループに対応する調剤動作が実行されるように、前記複数の処方データに対応する調剤動作の実行順序を決定する、
請求項８に記載の調剤支援システム。
【請求項１０】
前記出力処理部により前記作業情報が出力された後、前記作業情報に対応する前記複数の処方データに対応する調剤動作の実行が開始される前に、前記複数の処方データとは異なる処方データに対応する調剤動作の実行の指示が検出された場合に、予め定められた警告処理を実行する警告処理部を更に備える、
請求項１〜９のいずれかに記載の調剤支援システム。
【請求項１１】
調剤機器に実装されている薬品の種類及び数量の少なくとも一方の情報を含む実装情報を取得することと、
前記調剤機器により複数の処方データに対応する調剤動作が実行される場合に、前記複数の処方データと前記実装情報とに基づいて、前記複数の処方データに対応する調剤動作を実行するために必要となる薬品の準備に関する作業内容を示す作業情報を出力することと、
を含む、調剤支援方法。
【請求項１２】
一又は複数のプロセッサーに、
調剤機器に実装されている薬品の種類及び数量の少なくとも一方の情報を含む実装情報を取得することと、
前記調剤機器により複数の処方データに対応する調剤動作が実行される場合に、前記複数の処方データと前記実装情報とに基づいて、前記複数の処方データに対応する調剤動作を実行するために必要となる薬品の準備に関する作業内容を示す作業情報を出力することと、
を実行させる、調剤支援プログラム。
【発明の詳細な説明】
【技術分野】
【０００１】
本発明は、薬局等の医療機関で行われる調剤業務を支援する調剤支援システム、調剤支援方法、及び調剤支援プログラムに関する。
【背景技術】
【０００２】
一般に、各種の薬品が収容される複数の薬品カセットを備え、処方データに基づいて薬品カセット各々から薬品を払い出し、その薬品を服用タイミングごとに分包することが可能な薬品払出装置が知られている（例えば特許文献１参照）。
【先行技術文献】
【特許文献】
【０００３】
【特許文献１】特開２０１１−１０４０７７号公報
【発明の概要】
【発明が解決しようとする課題】
【０００４】
前記薬品払出装置のような調剤機器を利用して複数の処方データについて連続的に調剤動作が実行される場合、前記調剤機器に実装されている薬品が足りなくなるたびに前記調剤機器に薬品を充填する必要があり、手間がかかる。
【０００５】
本発明の目的は、調剤業務の効率を向上させることが可能な調剤支援システム、調剤支援方法、及び調剤支援プログラムを提供することにある。
【課題を解決するための手段】
【０００６】
本発明に係る調剤支援システムは、調剤機器に実装されている薬品の種類及び数量の少なくとも一方の情報を含む実装情報を取得する取得処理部と、前記調剤機器により複数の処方データに対応する調剤動作が実行される場合に、前記複数の処方データと前記実装情報とに基づいて、前記複数の処方データに対応する調剤動作を実行するために必要となる薬品の準備に関する作業内容を示す作業情報を出力する出力処理部とを備える。
【０００７】
本発明に係る調剤支援方法は、調剤機器に実装されている薬品の種類及び数量の少なくとも一方の情報を含む実装情報を取得することと、前記調剤機器により複数の処方データに対応する調剤動作が実行される場合に、前記複数の処方データと前記実装情報とに基づいて、前記複数の処方データに対応する調剤動作を実行するために必要となる薬品の準備に関する作業内容を示す作業情報を出力することとを含む。
【０００８】
本発明に係る調剤支援プログラムは、一又は複数のプロセッサーに、調剤機器に実装されている薬品の種類及び数量の少なくとも一方の情報を含む実装情報を取得することと、前記調剤機器により複数の処方データに対応する調剤動作が実行される場合に、前記複数の処方データと前記実装情報とに基づいて、前記複数の処方データに対応する調剤動作を実行するために必要となる薬品の準備に関する作業内容を示す作業情報を出力することとを実行させる。
【発明の効果】
【０００９】
本発明によれば、調剤業務の効率を向上させることが可能な調剤支援システム、調剤支援方法、及び調剤支援プログラムが提供される。
【図面の簡単な説明】
【００１０】
【図１】図１は、本発明の実施形態に係る調剤支援システムの構成を示す図である。
【図２】図２は、本発明の実施形態に係る薬品払出装置の構成を示す図である。
【図３】図３は、本発明の実施形態に係る薬品払出装置の外観図である。
【図４】図４は、本発明の実施形態に係る薬品払出装置の内部構成を示す模式図である。
【図５】図５は、本発明の実施形態に係る薬品払出装置の固定カセットの一例を示す図である。
【図６】図６は、本発明の実施形態に係る薬品払出装置の可変カセットの一例を示す図である。
【図７】図７は、本発明の実施形態に係る薬品払出装置の可変カセットの一例を示す図である。
【図８】図８は、本発明の実施形態に係る薬品払出装置の可変カセットの一例を示す図である。
【図９】図９は、本発明の実施形態に係る薬品払出装置の可変カセットの装着部の一例を示す図である。
【図１０】図１０は、本発明の実施形態に係る薬品払出装置の薬品パレットの一例を示す図である。
【図１１】図１１は、本発明の実施形態に係る薬品払出装置から払い出される薬品の一例を示す図である。
【図１２】図１２は、本発明の実施形態に係る調剤支援システムで出力される薬品充填指示書の一例を示す図である。
【図１３】図１３は、本発明の実施形態に係る調剤支援システムで出力される薬品充填指示書の一例を示す図である。
【図１４】図１４は、本発明の実施形態に係る調剤支援システムで出力される取り揃え指示書の一例を示す図である。
【図１５】図１５は、本発明の実施形態に係る調剤支援システムで出力される取り揃え指示書の一例を示す図である。
【図１６】図１６は、本発明の実施形態に係る調剤支援システムで出力される半錠薬品指示書の一例を示す図である。
【図１７】図１７は、本発明の実施形態に係る調剤支援システムで出力される調剤手順指示書の一例を示す図である。
【図１８】図１８は、本発明の実施形態に係る調剤支援システムで出力される調剤手順指示書の一例を示す図である。
【図１９】図１９は、本発明の実施形態に係る調剤支援システムで出力されるヒート薬品指示書の一例を示す図である。
【図２０】図２０は、本発明の実施形態に係る調剤支援システムで実行される仮締め処理の手順の一例を示すフローチャートである。
【図２１】図２１は、本発明の実施形態に係る調剤支援システムで実行される本締め処理の手順の一例を示すフローチャートである。
【図２２】図２２は、本発明の実施形態に係る調剤支援システムで表示される表示画面の一例を示す図である。
【図２３】図２３は、本発明の実施形態に係る調剤支援システムで表示される表示画面の一例を示す図である。
【図２４】図２４は、本発明の実施形態に係る調剤支援システムで表示される表示画面の一例を示す図である。
【発明を実施するための形態】
【００１１】
以下添付図面を参照しながら、本発明の実施形態について説明し、本発明の理解に供する。なお、以下の実施形態は、本発明を具体化した一例であって、本発明の技術的範囲を限定するものではない。また、下記の実施形態で説明する構成及び処理機能は取捨選択して任意に組み合わせることも可能である。
【００１２】
［調剤支援システム１０］
図１に示されるように、本発明の実施形態に係る調剤支援システム１０は、調剤支援装置１と、プリンター２と、薬品払出装置４とを備える。前記調剤支援装置１、前記プリンター２、及び前記薬品払出装置４は、通信網Ｎ１を介して通信可能に接続される。
【００１３】
前記調剤支援装置１、前記プリンター２、及び前記薬品払出装置４は、例えば、薬品の調剤が行われる薬局（病院の調剤所を含む）に配置される。なお、前記調剤支援装置１の配置場所は、前記通信網Ｎ１に接続可能であれば前記薬局の外部であってもよい。
【００１４】
前記薬局では、病院、老健施設などの施設からの依頼に応じて、前記病院に入院している患者、前記老健施設に入居している入居者などの服用者に投与すべき薬品を調剤する調剤業務が行われることがある。なお、以下では、便宜上、前記老健施設に入居している入居者などの服用者も含めて患者と称す。このようにして前記施設からの依頼に応じて前記薬局で調剤された薬品は、例えば毎日又は１週間に１回のように定期的に、前記施設へと配送されて患者に投与される。
【００１５】
前記調剤支援装置１には、前記調剤支援装置１に処方データを入力する電子カルテシステム又は処方入力端末などの上位システム９が前記通信網Ｎ１を介して接続される。そして、前記調剤支援装置１は、前記上位システム９から入力される処方データを前記薬品払出装置４に送信する。これにより、前記薬品払出装置４では、前記処方データに基づいて薬品を払い出す処理が実行されることになる。前記薬品払出装置４は、錠剤を払い出して分包可能な錠剤分包装置である。前記薬品払出装置４は、本発明における調剤機器の一例である。なお、他の実施形態では、前記薬品払出装置４が、散薬分包装置、水剤分注機、シート払出装置などの調剤機器であってもよい。前記散薬分包装置は、複数種類の散薬が収容された複数の散薬カセットを有しており、処方データに従って前記散薬カセットに収容されている散薬を自動的に所定量ずつ分包することが可能である。前記水剤分注機は、複数種類の水剤が収容された複数の薬瓶を有しており、処方データに従って前記薬瓶から必要量の水剤を払い出す。前記シート払出装置は、処方データに従って、予め薬品が包装されたＰＴＰシート又はヒートシールを複数のシートカセットから払い出す。
【００１６】
なお、調剤支援システム１０には、複数の前記薬品払出装置４が設けられていてもよい。この場合、前記調剤支援装置１は、前記上位システム９から入力される処方データを複数の前記薬品払出装置４に適宜振り分けて送信してもよい。
【００１７】
前記処方データには、患者名、患者ＩＤ、入院・外来、病棟、担当医師、処方薬の薬品ＩＤ、薬品名、用量・用法などの情報が含まれる。本実施形態における前記処方データは、１日分又は複数日分の処方薬のデータを含むものである。
【００１８】
［薬品払出装置４］
図２〜図１１を参照しつつ、前記薬品払出装置４について説明する。図２及び図３に示すように、前記薬品払出装置４は、処方制御ユニット５０１、薬品供給ユニット５０２、分包制御ユニット５０３、及びバーコードリーダー５０４などを備える。前記処方制御ユニット５０１、前記薬品供給ユニット５０２、及び前記分包制御ユニット５０３は内部バスＮ２によって接続される。
【００１９】
そして、前記薬品払出装置４では、処方データに基づいて前記薬品供給ユニット５０２から薬品が払い出されると共に、その薬品が服用時期などの分包単位で分包ユニット４５によって薬包に分包される分包動作が実行される。なお、本実施形態に係る前記薬品払出装置４では、前記処方制御ユニット５０１及び前記分包制御ユニット５０３が協働して前記分包動作を実現するための各種の処理を実行するが、単一の制御ユニットによって各種の処理が実行される構成であってもよい。
【００２０】
［処方制御ユニット５０１］
図２及び図３に示すように、前記処方制御ユニット５０１は、制御部５１０、記憶部５２０、表示部５３０、操作部５４０、及び通信ＩＦ５５０等を備える。
【００２１】
前記制御部５１０は、ＣＰＵ、ＲＡＭ、ＲＯＭ及びＥＥＰＲＯＭ（登録商標）などを有する制御手段である。前記制御部５１０は、前記ＲＯＭ、前記ＥＥＰＲＯＭ、又は前記記憶部５２０などの記憶手段に予め記憶された各種のプログラムに従った各種の処理を前記ＣＰＵによって実行する。なお、前記制御部５１０は、ＡＳＩＣ又はＤＳＰなどを含む電気回路であってもよい。
【００２２】
前記制御部５１０は、処方データに含まれる払出対象の薬品のうち、対応する固定カセット４１Ａ（後述）が存在しない薬品の薬品情報を、可変カセット４１Ｂ（後述）又はＤＴＡセル４３１Ａ（後述）に割り当てる処理を実行する。なお、前記薬品情報は、薬品の種類を識別可能な情報である。
【００２３】
前記記憶部５２０は、各種のデータを記憶するＨＤＤ（ＨＡＲＤ  ＤＩＳＫ  ＤＲＩＶＥ）又はＳＳＤ（Ｓｏｌｉｄ  Ｓｔａｔｅ  Ｄｒｉｖｅ）などの不揮発性の記憶手段である。具体的に、前記記憶部５２０には、前記制御部５１０等のコンピュータに上記の処理を含む各種の処理を実行させるための制御プログラムが予め記憶されている。
【００２４】
また、前記記憶部５２０には、例えば患者マスター、薬局マスター、医薬品マスター、及びカセットマスターなどの各種のデータベースも記憶されている。
【００２５】
前記患者マスターには、患者ＩＤ、氏名、性別、年齢、既往歴、処方薬履歴、家族情報、診療科、病棟、及び病室などの患者に関する情報が含まれる。前記薬局マスターには、薬局名、薬剤師の氏名、薬剤師のＩＤなどの薬局に関する情報が含まれる。
【００２６】
前記医薬品マスターには、薬ＩＤ、薬品コード、薬品名、ＪＡＮコード（又はＲＳＳコード）、薬瓶コード、区分（剤形：散薬、錠剤、水剤、外用薬など）、薬品のサイズ（高さ及び幅）、比重、薬品種（普通薬、毒薬、麻薬、劇薬、抗精神薬、治療薬など）、配合変化、賦形薬品、注意事項などの医薬品各々に関する情報が含まれる。
【００２７】
前記カセットマスターは、前記薬品供給ユニット５０２が備える後述の固定カセット４１Ａ各々を識別可能なカセット識別情報と、前記固定カセット４１Ａ各々が払い出し可能な薬品を識別可能な薬品情報との対応関係を示すマスター情報である。なお、前記カセットマスターに示される情報は、前記医薬品マスターの一つの項目として前記記憶部５２０に記憶されたものであってもよい。
【００２８】
例えば、前記医薬品マスターに含まれる薬品情報各々について、対応する前記固定カセット４１Ａの有無、又は前記薬品情報に割り当てられた前記固定カセット４１Ａの前記カセット識別情報が記憶されることが考えられる。これにより、前記薬品払出装置４では、前記固定カセット４１Ａ各々から払い出し可能な薬品の種別を前記カセットマスターに基づいて判断することが可能である。
【００２９】
前記表示部５３０は、前記制御部５１０からの制御指示に従って各種の情報及び操作画面を表示する液晶モニター等の表示手段である。例えば、前記表示部５３０には、処方データの入力画面及び処方データの選択画面などの各種情報が表示される。
【００３０】
前記操作部５４０は、ユーザー操作を受け付ける操作ボタン、キーボード、マウス及びタッチパネル等の操作手段であり、ユーザー操作に対応する操作信号を前記制御部５１０に入力する。前記操作部５４０は、例えば前記表示部５３０に表示された前記入力画面における処方データの入力操作、前記選択画面における処方データの選択操作、及び前記処方データの分包開始を要求する処方データの発行操作などの各種操作入力を受け付ける。
【００３１】
前記通信ＩＦ５５０は、前記薬品払出装置４を前記通信網Ｎ１に接続するための通信インターフェースであって、前記通信網Ｎ１を介して接続された前記調剤支援装置１との間でデータ通信を実行する。
【００３２】
そして、前記通信ＩＦ５５０は、前記制御部５１０によって制御され、前記調剤支援装置１から処方データを取得し、前記処方データを前記記憶部５２０に記憶させる。例えば、前記通信ＩＦ５５０は、前記調剤支援装置１に設けられた記憶部１２の所定の記憶領域に処方データが新たに記憶されたか否かを監視しており、前記所定の記憶領域に前記処方データが新たに記憶された場合に前記処方データを前記所定の記憶領域から読み出す。
【００３３】
［薬品供給ユニット５０２］
図２〜図４に示すように、前記薬品供給ユニット５０２は、複数の薬品カセット４１、複数の装着部４２、手撒きユニット４３、回転ユニット４４、及び分包ユニット４５などを備える。また、前記薬品供給ユニット５０２の前面扉４Ａは開閉可能である。
【００３４】
複数の前記薬品カセット４１には、予め定められた特定種類の薬品を１錠（単位量）ごとに払出可能な複数の固定カセット４１Ａと、駆動条件の変更により任意の種類の薬品を１錠（単位量）ごとに払出可能な複数の可変カセット４１Ｂとが含まれる。前記固定カセット４１Ａ及び前記可変カセット４１Ｂにより払出可能な薬品は、例えば円盤状、球状、又はカプセル状などの各種形態の錠剤である。なお、前記薬品供給ユニット５０２が、前記可変カセット４１Ｂを有さず、複数の前記固定カセット４１Ａのみを有することも他の実施形態として考えられる。また、前記薬品供給ユニット５０２が、前記固定カセット４１Ａを有さず、複数の前記可変カセット４１Ｂのみを有することも他の実施形態として考えられる。
【００３５】
また、複数の前記装着部４２には、前記固定カセット４１Ａが着脱可能な複数の装着部４２Ａと、前記可変カセット４１Ｂが装着可能な複数の装着部４２Ｂとが含まれる。前記装着部４２Ａは、前記薬品払出装置４の内部に設けられており、ユーザーは、前記薬品払出装置４の前面扉４Ａを開くことにより、前記固定カセット４１Ａを前記装着部４２Ａに着脱することが可能である。前記装着部４２Ｂは、前記薬品払出装置４の前面に設けられており、ユーザーは、前記薬品払出装置４の前面扉４Ａを開くことなく、前記可変カセット４１Ｂを前記装着部４２Ｂに着脱することが可能である。
【００３６】
前記装着部４２Ａは、駆動モーター４２１及びＲＦＩＤリーダライタ４２２を備える。前記駆動モーター４２１は、前記分包制御ユニット５０３によって制御され、前記固定カセット４１Ａの駆動機構に駆動力を供給することにより、前記固定カセット４１Ａから薬品を払い出させる。前記ＲＦＩＤリーダライタ４２２は、ＲＦＩＤ（Ｒａｄｉｏ  Ｆｒｅｑｕｅｎｃｙ  Ｉｄｅｎｔｉｆｉｃａｔｉｏｎ）の無線通信技術を利用して、前記固定カセット４１Ａに設けられるＲＦＩＤタグ（不図示）から情報を読み取ること、又は前記ＲＦＩＤタグに情報を書き込むことが可能である。例えば、前記ＲＦＩＤリーダライタ４２２は、前記固定カセット４１ＡのＲＦＩＤから当該固定カセット４１Ａの識別情報を読み取るために用いられる。
【００３７】
前記装着部４２Ｂは、駆動モーター４２３〜４２６及びＲＦＩＤリーダライタ４２７を備える。前記駆動モーター４２３〜４２６は、前記分包制御ユニット５０３によって制御され、前記可変カセット４１Ｂの駆動機構に駆動力を供給することにより、前記可変カセット４１Ｂから薬品を払い出させる。前記ＲＦＩＤリーダライタ４２２は、ＲＦＩＤの無線通信技術を利用して、前記可変カセット４１Ｂに設けられるＲＦＩＤタグ４２７Ａ（図８参照）から情報を読み取ること、又は前記ＲＦＩＤタグ４２７Ａに情報を書き込むことが可能である。
【００３８】
前記ＲＦＩＤタグ４２７Ａは、前記可変カセット４１Ｂ各々を識別するためのカセット識別情報、及び前記可変カセット４１Ｂに割り当てられる薬品の薬品情報などが記録される不揮発性の記録媒体である。
【００３９】
［固定カセット４１Ａ］
ここで、図５を参照しつつ、前記固定カセット４１Ａの一例について説明する。なお、ここで説明する前記固定カセット４１Ａの構造は一例に過ぎず、同様の機能を有するものであれば他の構造であってもよい。なお、図５は、前記固定カセット４１Ａの上部を覆うカバー部材を省略した図である。
【００４０】
なお、前記固定カセット４１Ａ各々では、収容される薬品の種類が予め定められているため、例えば前記固定カセット４１Ａ各々の前面には、前記固定カセット４１Ａに収容される薬品の薬品情報が予め記載される。
【００４１】
図５に示すように、前記固定カセット４１Ａは、多数の薬品が収容される薬品収容部６０１、及び前記薬品収容部６０１に収容された薬品を個別に排出する薬品排出部６０２を備えている。前記薬品排出部６０２は、前記薬品収容部６０１の略中央部に形成された凹部に設けられており、前記薬品収容部６０１内の薬品は前記薬品排出部６０２に向けて順次下降する。
【００４２】
前記薬品排出部６０２は、前記固定カセット４１Ａの筐体で回転可能に支持されたローター６０３と、前記ローター６０３の外周を覆う内壁６０３Ａとを備えている。前記ローター６０３は、前記固定カセット４１Ａが前記装着部４２Ａに装着されたときに、各種のギアなどの駆動伝達系（不図示）を介して前記装着部４２Ａの前記駆動モーター４２１に連結される。また、前記ローター６０３の外周面には、予め定められた配置間隔でリブ６０４及びリブ６０５が形成されている。これにより、前記ローター６０３の外周には、前記リブ６０４、前記リブ６０５、及び前記内壁６０３Ａによって囲まれた間隙６０６が間欠的に形成されている。前記間隙６０６の幅は、前記固定カセット４１Ａに収容される薬品として予め定められた薬品の種類に応じて定められており、前記薬品の１錠分の幅に相当する。
【００４３】
また、前記リブ６０４及び前記リブ６０５の間には前記ローター６０３の外周面全体に亘る間隙６０７が形成されている。ここで、前記リブ６０４及び前記リブ６０５各々の上端の高さは、前記固定カセット４１Ａに収容される薬品として予め定められた薬品の種類に応じて定められている。具体的に、図５に示す前記リブ６０４の上端の高さは前記薬品の３錠分の高さに相当するものであり、前記ローター６０３の前記間隙６０６各々には前記薬品が３錠ずつ挿入される。また、前記リブ６０５の上端の高さは、前記薬品の１錠分の高さに相当する。
【００４４】
一方、前記内壁６０３Ａには、前記ローター６０３から薬品を排出するための排出口６０８が形成されており、前記排出口６０８には前記間隙６０７に挿入される仕切板６０９が設けられている。これにより、前記排出口６０８では、前記間隙６０６に挿入されている３錠の薬品のうち、上の２錠は前記仕切板６０９によって落下が規制され、下の１錠のみが排出される。従って、前記固定カセット４１Ａでは、前記駆動モーター４２１によって前記ローター６０３が駆動されることにより、前記薬品収容部６０１に収容された薬品が１錠単位で払い出される。
【００４５】
［可変カセット４１Ｂ］
次に、図６〜図９を参照しつつ、前記可変カセット４１Ｂの一例について説明する。なお、前記可変カセット４１Ｂは、例えば国際公開第２０１４／１１２２２１号公報などにも開示されている。また、ここで説明する前記可変カセット４１Ｂの構造は一例に過ぎず、任意の種類の薬品を１錠ずつ払い出すことが可能なものであれば他の構造であってもよい。例えば、特表２０１０−５３５６８３号公報又は特開２０１０−１１５４９３号公報には、前記可変カセット４１Ｂの他の例が開示されている。
【００４６】
図６〜図８に示すように、前記可変カセット４１Ｂは、多数の薬品が収容される薬品収容部７０１と、前記薬品収容部７０１から薬品を払い出す第１回転体７０２及び第２回転体７０３とを備えている。なお、図６〜図８は、前記可変カセット４１Ｂの上部を覆うカバー部材を省略した図である。また、前記可変カセット４１Ｂは、予め定められた単位量ごとに薬品を払い出すことが可能であればよく、例えば１錠単位ではなく複数錠ごとの払い出しが可能な構成であってもよい。
【００４７】
前記第１回転体７０２は、前記薬品収容部７０１の底面を構成する円盤状の部材である。前記第１回転体７０２の回転軸は鉛直方向に対して予め定められた所定角度だけ傾斜しており、前記第１回転体７０２の上面が水平面に対して前記所定角度だけ傾斜している。また、前記第１回転体７０２の上面には放射状のリブ７０２Ａが所定間隔ごとに形成されている。そして、前記第１回転体７０２は、前記可変カセット４１Ｂの筐体によって回転可能に支持されており、図７及び図８に示す駆動ギア７０２Ｂに連結されている。
【００４８】
前記第２回転体７０３は、平面視で前記第１回転体７０２の周囲に配置された中空環状の部材であって、前記薬品収容部７０１の薬品を払出口７０４に搬送して前記払出口７０４から払い出す搬送部材の一例である。そして、前記第２回転体７０３は、前記可変カセット４１Ｂの筐体によって回転可能に支持されており、図８に示す駆動ギア７０３Ａが外周面に形成されている。
【００４９】
一方、図９に示すように、前記装着部４２Ｂには、前記可変カセット４１Ｂが装着されたときに前記第１回転体７０２の前記駆動ギア７０２Ｂに連結される駆動ギア８０１、及び前記第２回転体７０３の前記駆動ギア７０３Ａに連結される駆動ギア８０２が設けられている。前記駆動ギア８０１は、前記装着部４２Ｂの前記駆動モーター４２３に連結されており、前記駆動ギア８０２は、前記装着部４２Ｂの前記駆動モーター４２４に連結されている。
【００５０】
さらに、図６及び図７に示すように、前記可変カセット４１Ｂは、前記第２回転体７０３により前記払出口７０４まで搬送される前記薬品の払出経路上に配置された高さ規制部材７０５及び幅規制部材７０６を備えている。
【００５１】
前記高さ規制部材７０５は、前記第２回転体７０３により前記払出口７０４まで搬送可能な薬品の高さ方向のサイズを規制し、前記幅規制部材７０６は、前記第２回転体７０３により前記払出口７０４まで搬送可能な薬品の幅方向のサイズを規制する。
【００５２】
そして、前記可変カセット４１Ｂは、前記高さ規制部材７０５により規制される前記高さｈ１を変更するための高さ調整部７０５Ａと、前記幅規制部材７０６により規制される前記幅ｗ１を変更するための幅調整部７０６Ａとを備える。前記幅調整部７０６Ａの外周面には、前記幅規制部材７０６に形成された長穴７０６Ｂの内周面に形成されたラック（ギア）に噛合されたピニオンギアが形成されている。
【００５３】
前記高さ調整部７０５Ａは、前記可変カセット４１Ｂの筐体によって回転可能に支持されており、図８に示す駆動ギア７０５Ｂに連結されている。前記高さ調整部７０５Ａは、回転駆動されることにより前記高さ規制部材７０５の下端部の位置を上下に移動させ、前記高さ規制部材７０５により規制される前記高さｈ１を変更する。
【００５４】
前記幅調整部７０６Ａは、前記可変カセット４１Ｂの筐体によって回転可能に支持されており、図８に示す駆動ギア７０６Ｃに連結されている。前記幅調整部７０６Ａは、回転駆動されることにより前記幅規制部材７０６の前記薬品収容部７０１側への突出量を変更し、前記幅規制部材７０６により規制される前記幅ｗ１を変更する。具体的に、前記幅規制部材７０６の前記薬品収容部７０１側への突出量は、前記幅調整部７０６Ａの回転により前記幅調整部７０６Ａ及び前記長穴７０６Ｂ各々が矢印Ｒ３方向（図６参照）に相対的に移動することによって変更される。
【００５５】
一方、図９に示すように、前記装着部４２Ｂには、前記可変カセット４１Ｂが装着されたときに前記駆動ギア７０５Ｂに連結される駆動ギア８０３、及び前記駆動ギア７０６Ｃに連結される駆動ギア８０４が設けられている。前記駆動ギア８０３は、前記装着部４２Ｂの前記駆動モーター４２５に連結されており、前記駆動ギア８０４は、前記装着部４２Ｂの前記駆動モーター４２６に連結されている。
【００５６】
なお、図８及び図９に示すように、前記可変カセット４１Ｂ及び前記装着部４２Ｂは、前記可変カセット４１Ｂが前記装着部４２Ｂに装着されたときに連結される駆動ギア７０７Ａ及び駆動ギア８０５を備える。前記駆動ギア７０７Ａは、前記第１回転体７０２を上下方向に昇降させる不図示の昇降機構に連結されており、前記駆動ギア８０５は不図示の駆動モーターに連結されている。これにより、前記駆動モーターが駆動されると、前記駆動ギア８０５から前記駆動ギア７０７Ａに駆動力が伝達され、前記昇降機構により前記第１回転体７０２が昇降可能である。
【００５７】
そして、前記可変カセット４１Ｂでは、前記第１回転体７０２が回転方向Ｒ１（図６及び図７参照）に回転されると、前記薬品収容部７０１の薬品が前記第１回転体７０２から前記第２回転体７０３に排出される。また、前記可変カセット４１Ｂでは、前記第２回転体７０３が回転方向Ｒ２（図６及び図７参照）に回転されると、前記第２回転体７０３上の薬品が前記払出口７０４に向けて搬送される。
【００５８】
但し、前記第２回転体７０３により搬送される薬品のうち高さ方向に積み重なった薬品は前記高さ規制部材７０５に接触して前記薬品収容部７０１に戻される。また、前記第２回転体７０３により搬送される薬品のうち幅方向に並んで搬送されている薬品は前記幅規制部材７０６に接触して前記薬品収容部７０１に戻される。
【００５９】
これにより、前記可変カセット４１Ｂでは、前記高さ規制部材７０５により規制される前記高さｈ１及び前記幅規制部材７０６により規制される前記幅ｗ１に対応するサイズの薬品は、前記第２回転体７０３上の周方向に１錠ずつ並んだ状態で前記払出口７０４まで搬送される。そのため、前記可変カセット４１Ｂでは、前記薬品収容部７０１に収容された薬品を１錠単位で払い出すことが可能であり、前記薬品の払出量を制御することが可能である。
【００６０】
このように、前記可変カセット４１Ｂを用いれば、前記高さ規制部材７０５により規制される前記高さｈ１及び前記幅規制部材７０６により規制される前記幅ｗ１が変更可能であるため、任意の種類の薬品を１錠単位で払い出すことが可能である。
【００６１】
［手撒きユニット４３］
前記手撒きユニット４３は、例えば１錠未満の半錠又は１／４錠などの錠剤のように前記薬品カセット４１からの払い出しに適さない薬品の払い出しに用いられるものであり、前記薬品払出装置４に対して引き出し可能に設けられている。また、前記手撒きユニット４３は、前記薬品カセット４１に収容されていない薬品の払い出しに用いられる。
【００６２】
前記手撒きユニット４３は、薬品パレット４３１と当該薬品パレット４３１の下方に設けられる個別払出部４３２とを備える。なお、前記手撒きユニット４３は、ＤＴＡ（Ｄｅｔａｃｈａｂｌｅ  Ｔａｂｌｅｔ  Ａｄａｐｔｅｒ）とも称される。
【００６３】
ここに、図１０は、前記薬品パレット４３１を上方から見た平面模式図である。前記薬品パレット４３１は、マトリクス状（格子状）に設けられた複数のＤＴＡセル４３１Ａを含む。そして、前記ＤＴＡセル４３１Ａ各々には、前記処方データに処方薬として含まれる薬品情報に対応する薬品が服用時期の単位で投入される。前記個別払出部４３２は、前記薬品パレット４３１に載置された薬品を前記ＤＴＡセル４３１Ａの単位で順次払い出すことが可能である。なお、前記手撒きユニット４３と同様に前記ＤＴＡセル４３１Ａの単位で薬品を払出可能な手撒きユニットは、例えば特開２００６−１１０３８６号公報に開示されている。
【００６４】
例えば、前記薬品パレット４３１は、前記ＤＴＡセル４３１Ａ各々の底面が開閉可能である。そして、前記薬品パレット４３１では、前記底面がモーター等の所定の駆動手段で前記ＤＴＡセル４３１Ａ各々の底面が開かれることによって、当該ＤＴＡセル４３１Ａ各々に投入されている薬品が前記個別払出部４３２に向けて落下する。
【００６５】
前記個別払出部４３２は、前記薬品パレット４３１が前記薬品払出装置４に収容された状態で、当該薬品パレット４３１のＤＴＡセル４３１Ａ各々の下方の位置に対応する複数の払出用セルを備える。そして、前記個別払出部４３２は、前記払出用セル各々の底面を順に開閉可能な開閉機構を備えており、前記開閉機構によって前記払出用セル各々の底面が予め定められた特定の順番で開かれることによって前記払出用セル各々に投入されている薬品が当該払出用セルの単位で前記回転ユニット４４に向けて順に払い出される。
【００６６】
［回転ユニット４４］
前記回転ユニット４４は、複数の薬品回転部４４１と、ユニット回転部４４２と、薬品排出部４４３とを備える。前記ユニット回転部４４２は、不図示の基台部により回転可能に支持されている。
【００６７】
前記薬品回転部４４１各々は、前記薬品カセット４１又は前記手撒きユニット４３から供給される薬品を回転させることにより前記薬品の姿勢を変位させることが可能である。前記ユニット回転部４４２には、６つの前記薬品回転部４４１が所定の回転軸回りに６０°間隔で配置されており、前記ユニット回転部４４２は、前記薬品回転部４４１を前記所定の回転軸回りに回転させることが可能である。
【００６８】
そして、前記薬品払出装置４では、前記薬品カセット４１から払い出された薬品が前記薬品回転部４４１に落下した後、又は前記手撒きユニット４３から払い出された薬品が前記薬品回転部４４１に落下した後、前記薬品回転部４４１は、前記薬品排出部４４３に対応する位置に向けて順に回転移動される。
【００６９】
その後、前記薬品回転部４４１に載置された前記薬品は、前記薬品排出部４４３に対応する位置に移動した前記薬品回転部４４１から前記分包ユニット４５に落下し、前記分包ユニット４５内で薬包４５１に投入される。
【００７０】
［分包ユニット４５］
前記分包ユニット４５は、前記薬品供給ユニット５０２の前記薬品カセット４１及び前記手撒きユニット４３の一方又は両方から供給された薬品を服用時期などの分包単位で一つの分包紙に収容する。なお、前記分包ユニット４５は、透明又は半透明のロール状の薬包シート９００により前記分包単位で薬品を包装して溶着等により封止して薬包４５１を形成する。これにより、前記分包単位で前記薬包４５１各々に薬品が収容された薬包シート９００が前記分包ユニット４５から排出される。ここに、図１１は、前記分包ユニット４５から排出される薬包シート９００の一例を示す図である。図１１に示すように、前記薬包シート９００には、前記分包単位で複数の薬品が包装された複数の薬包４５１が連続して形成されており、前記薬包４５１各々の間には前記薬包４５１各々を容易に切り離すための切り取り点線４５２（ミシン目）が形成されている。
【００７１】
［分包制御ユニット５０３］
前記分包制御ユニット５０３は、図２に示すように、制御部５６０、記憶部５７０、及び操作表示部５８０を備え、前記薬品供給ユニット５０２を制御することにより前記薬品払出装置４に分包動作を実行させる。
【００７２】
前記制御部５６０は、ＣＰＵ、ＲＡＭ、ＲＯＭ及びＥＥＰＲＯＭなどを有する制御手段である。前記制御部５６０は、前記ＲＯＭ、前記ＥＥＰＲＯＭ、又は前記記憶部５７０などの記憶手段に予め記憶された各種の制御プログラムに従った各種の処理を前記ＣＰＵによって実行する。なお、前記ＲＡＭ及び前記ＥＥＰＲＯＭは、前記ＣＰＵによって実行される各種の処理の一時記憶メモリー（作業領域）として利用される。なお、前記制御部５６０は、ＡＳＩＣ又はＤＳＰなどの集積回路であってもよい。
【００７３】
前記制御部５６０は、ユーザーによる前記手撒きユニット４３への薬品の投入を支援するための案内画面などを前記操作表示部５８０又は前記表示部５３０などの表示手段に表示させる。
【００７４】
前記制御部５６０は、前記可変カセット４１Ｂに割り当てられた前記薬品情報に対応して予め設定された駆動条件に従って前記可変カセット４１Ｂを駆動させ、前記高さ規制部材７０５により規制される前記高さｈ１又は前記幅規制部材７０６により規制される前記幅ｗ１を変更するための処理を実行する。
【００７５】
前記制御部５６０は、前記処方データに応じて、前記固定カセット４１Ａ、前記可変カセット４１Ｂ、及び前記手撒きユニット４３を駆動させ、前記処方データに対応する薬品を払い出すための処理を実行する。
【００７６】
前記記憶部５７０は、各種のデータを記憶するＨＤＤ又はＳＳＤなどの記憶手段である。具体的に、前記記憶部５７０には、前記制御部５６０等のコンピュータに上記のような各種の処理を実行させるための制御プログラムが予め記憶されている。
【００７７】
前記操作表示部５８０は、前記制御部５１０又は前記制御部５６０からの制御指示に従って各種の情報及び操作画面を表示する液晶モニターと、ユーザーのタッチ操作を受け付け可能なタッチパネルとを備える操作表示手段である。具体的に、前記操作表示部５８０は、前記手撒きユニット４３への薬品の投入を案内するための前記案内画面の表示に用いられる。
【００７８】
［バーコードリーダー５０４］
前記バーコードリーダー５０４は、薬局の薬品棚などに設けられた薬品の収容容器（箱、瓶など）又はＰＴＰシートなどに記載されたＪＡＮコード、ＧＳ１コード、ＲＳＳコード、又はＱＲコード（登録商標）から薬品を識別するコードを読み取り可能である。前記バーコードリーダー５０４により読み取られた情報は、前記処方制御ユニット５０１に入力される。なお、前記バーコードリーダー５０４は、例えばＰＤＡ又はスマートフォンなどの携帯端末である。
【００７９】
ところで、前記薬品払出装置４のような調剤機器を利用して複数の処方データについて連続的に調剤動作が実行される場合、前記調剤機器に実装されている薬品が足りなくなるたびに前記調剤機器に薬品を充填する必要があり、手間がかかる。これに対して、本実施形態に係る調剤支援システム１０によれば、調剤業務の効率を向上させることが可能である。
【００８０】
［調剤支援装置１］
図１に示されるように、前記調剤支援装置１は、制御部１１、記憶部１２、通信ＩＦ１３、表示部１４、操作部１５、及びドライブ装置１６などを備えるパーソナルコンピュータである。前記調剤支援装置１の単体を本発明に係る調剤支援システムとして捉えてもよい。前記調剤支援装置１には、前記調剤支援装置１に処方データを入力する電子カルテシステム又は処方入力端末などの上位システム９が前記通信網Ｎ１を介して接続されている。なお、前記調剤支援装置１において前記操作部１５を用いて処方データが入力可能な構成も考えられる。
【００８１】
前記制御部１１は、ＣＰＵ、ＲＯＭ、及びＲＡＭ等を備える。前記ＣＰＵは、各種の制御プログラムに従って処理を実行することにより前記調剤支援装置１を制御するプロセッサーである。
【００８２】
前記記憶部１２は、前記制御部１１によって実行される各種のアプリケーションプログラム及び各種のデータを記憶するハードディスク又はＳＳＤ等の不揮発性の記憶手段である。具体的に、前記記憶部１２には、後述の仮締め処理（図２０参照）、及び本締め処理（図２１参照）などを前記制御部１１に実行させるための調剤支援プログラムが記憶されている。
【００８３】
例えば、前記制御部１１は、前記調剤支援プログラムに従って各種の処理を実行することにより、取得処理部１１１、出力処理部１１２、決定処理部１１３、及び警告処理部１１４として機能する。
【００８４】
前記取得処理部１１１は、前記薬品払出装置４に実装されている薬品（すなわち、前記薬品カセット４１各々に収容されている薬品）の種類及び数量の少なくとも一方の情報を含む実装情報を取得することが可能である。前記薬品払出装置４では、前記薬品カセット４１各々に充填される薬品の数量及び前記薬品カセット４１各々から払い出される薬品の数量とが随時カウントされる。そして、当該カウント結果に基づいて、前記薬品カセット４１各々における薬品の在庫量が算出されて、前記記憶部５２０又は前記記憶部５７０に記憶されている。よって、前記取得処理部１１１は、前記通信網Ｎ１を通じて前記薬品払出装置４から前記実装情報を受信することが可能である。なお、他の実施形態では、前記取得処理部１１１は、前記薬品払出装置４に実装されている薬品の種類及び数量の少なくとも一方の情報を管理している他の情報処理装置から前記実装情報を受信してもよい。
【００８５】
前記出力処理部１１２は、前記薬品払出装置４により複数の処方データに対応する調剤動作（分包動作）が実行される場合に、前記複数の処方データと前記実装情報とに基づいて、前記複数の処方データに対応する調剤動作を実行するために必要となる薬品の準備に関する作業内容を示す作業情報を出力することが可能である。具体的に、前記出力処理部１１２は、前記作業情報を示す印刷データを生成して前記プリンター２に送信する。その結果、前記作業情報が印刷（記録）されたシートが前記プリンター２から出力される。
【００８６】
なお、前記出力処理部１１２は、前記作業情報を、前記表示部１４、前記表示部５３０、前記操作表示部５８０などの表示部に表示させてもよい。また、前記出力処理部１１２は、前記作業情報を、前記上位システム９、作業者が携帯する携帯端末（不図示）などの情報処理装置に送信してもよい。
【００８７】
前記出力処理部１１２は、前記作業情報として、例えば、薬品充填指示書Ｆ１（図１２、図１３）、取り揃え指示書Ｆ２（図１４、図１５）、半錠薬品指示書Ｆ３（図１６）、調剤手順指示書Ｆ４（図１７、図１８）、ヒート薬品指示書Ｆ５（図１９）などを出力する。以下、これらの指示書について具体的に説明する。
【００８８】
［薬品充填指示書Ｆ１］
前記薬品充填指示書Ｆ１は、前記複数の処方データに対応する調剤動作を実行するために必要となる薬品の充填作業の内容を示す前記作業情報である。なお、本実施形態では、後述するように、前記決定処理部１１３により前記複数の処方データが配送先ごと（すなわち、施設ごと）にグループ化され、前記グループごとに順次に調剤動作が実行されるように、前記複数の処方データに対応する調剤動作の実行順序が決定される。本実施形態では、一例として、Ａ施設→Ｂ施設の順番で調剤動作が行われるものとする。前記出力処理部１１２は、図１２に示されるような全施設用の薬品充填指示書Ｆ１ａと、図１３に示されるような各施設用の薬品充填指示書Ｆ１ｂとを出力する。
【００８９】
図１２及び図１３に示されるように、前記薬品充填指示書Ｆ１には、「締め日時」、「実施日」、「棚番」、「薬品名」、「在庫量」、「充填量」、「総量」などの情報が含まれる。
【００９０】
前記「締め日時」は、後述の仮締め処理が実行された日時を示す。なお、前記薬品充填指示書Ｆ１は、前記仮締め処理において生成されるので、前記「締め日時」は、前記薬品充填指示書Ｆ１が生成された日時でもある。前記「実施日」は、前記複数の処方データに基づいて調剤された薬品の服用開始日を示す。
【００９１】
前記「棚番」は、薬品を充填すべき前記薬品カセット４１の前記薬品払出装置４における装着位置を示す番号である。すなわち、前記「棚番」は、前記薬品払出装置４の装着部４２各々に付された番号である。なお、全施設用の薬品充填指示書Ｆ１ａにおける前記「棚番」は、前記仮締め処理の実行時点における前記薬品カセット４１の装着位置を示している。一方、各施設用の薬品充填指示書Ｆ１ｂにおける前記「棚番」は、対応する施設の調剤開始時点における前記薬品カセット４１の装着位置を示している。例えば、図１３に示される薬品充填指示書Ｆ１ｂによれば、Ａ施設の調剤開始時点では、Ｈ薬品を収容している前記薬品カセット４１は前記薬品払出装置４には装着されておらず、Ｂ施設の調剤開始時点では、Ｈ薬品を収容している前記薬品カセット４１は前記「棚番」が３番の装着位置に装着されていることが分かる。これは、Ａ施設の調剤動作の途中で、前記「棚番」が３番の装着位置に装着されている前記薬品カセット４１（すなわち、Ｂ薬品が収容されている前記薬品カセット４１）が、Ｈ薬品が収容されている前記薬品カセット４１と交換されるからである（図１８参照）。
【００９２】
前記「薬品名」は、前記薬品カセット４１に充填すべき薬品の名称である。
【００９３】
前記「在庫量」は、前記薬品カセット４１に収容されている薬品の数量である。なお、全施設用の薬品充填指示書Ｆ１ａにおける前記「在庫量」は、前記仮締め処理が実行された時点での前記薬品カセット４１における在庫量を示している。一方、各施設用の薬品充填指示書Ｆ１ｂにおける前記「在庫量」は、対応する施設の調剤開始時点での前記薬品カセット４１における在庫量を示している。例えば、Ｂ施設の調剤開始時点での前記薬品カセット４１における在庫量は、Ａ施設の調剤開始時点での前記薬品カセット４１における在庫量から、Ａ施設の調剤動作において前記薬品カセット４１から払い出される薬品の数量を減算した値となる。
【００９４】
前記「充填量」は、前記薬品カセット４１に充填すべき薬品の数量である。なお、全施設用の薬品充填指示書Ｆ１ａにおける前記「充填量」は、全施設の調剤動作に必要な各薬品の必要総量から、前記仮締め処理の実行時点での各薬品に対応する前記薬品カセット４１における在庫量を減算した値となる。一方、各施設用の薬品充填指示書Ｆ１ｂにおける前記「充填量」は、対応する施設の調剤動作に必要な各薬品の必要総量から、対応する施設の調剤開始時点での各薬品に対応する前記薬品カセット４１における在庫量を減算した値となる。例えば、図１３に示される薬品充填指示書Ｆ１ｂによれば、Ａ施設の調剤動作の開始時又は調剤動作の途中で、Ｇ薬品が１１０錠充填されるが、Ａ施設の調剤動作でＧ薬品が９５錠払い出される結果、Ｂ施設の調剤動作の開始時又は調剤動作の途中でＧ薬品をさらに２０錠充填する必要があることが分かる。なお、薬品の充填回数を減らす目的又は他の薬品と充填タイミングを合わせる目的で、複数の施設に関する調剤動作で必要な薬品の充填作業が事前に纏めて行われることがあり、この場合、薬品充填指示書Ｆ１ｂにおける「充填量」は、複数の施設に関する調剤動作における薬品の必要総量から在庫量を減算した値となることがある。また、必要総量から在庫量を減算した値が０以下の値になる場合（例えば、図１２に示されるＤ薬品の場合）には「充填量」が０となる。
【００９５】
前記「総量」は、調剤動作で必要となる薬品の総数量である。なお、全施設用の薬品充填指示書Ｆ１ａにおける前記「総量」は、全施設の調剤動作で必要となる薬品の総数量を示している。一方、各施設用の薬品充填指示書Ｆ１ｂにおける前記「総量」は、対応する施設の調剤動作で必要となる薬品の総数量を示している。
【００９６】
［取り揃え指示書Ｆ２］
前記取り揃え指示書Ｆ２は、前記複数の処方データに処方薬として含まれる払出対象の薬品のうち、前記固定カセット４１Ａから払い出すことができない薬品（すなわち、前記可変カセット４１Ｂ又は前記手撒きユニット４３を使用して払い出すべき薬品）を取り揃える取り揃え作業の内容を示す前記作業情報である。具体的に、前記可変カセット４１Ｂを使用して払い出すべき薬品は、いずれの前記固定カセット４１Ａにも割り当てられていない薬品のうち、前記可変カセット４１Ｂにより払出可能な薬品である。前記手撒きユニット４３を使用して払い出すべき薬品は、例えば１錠未満の半錠又は１／４錠などの錠剤のように、前記薬品カセット４１からの払い出しに適さない薬品である。前記出力処理部１１２は、図１４に示されるような全施設用の取り揃え指示書Ｆ２ａと、図１５に示されるような各施設用の取り揃え指示書Ｆ２ｂとを出力する。
【００９７】
図１４及び図１５に示されるように、前記取り揃え指示書Ｆ２には、「締め日時」、「実施日」、「棚番」、「ＤＴＡ」、「ＵＣ」、「薬品名」、「総量」、バーコードＣ１などの情報が含まれる。
【００９８】
前記「締め日時」は、前記仮締め処理が実行された日時を示す。なお、前記取り揃え指示書Ｆ２は、前記仮締め処理において生成されるので、前記「締め日時」は、前記取り揃え指示書Ｆ２が生成された日時でもある。前記「実施日」は、前記複数の処方データに基づいて調剤された薬品の服用開始日を示す。
【００９９】
前記「棚番」は、前記可変カセット４１Ｂ又は前記手撒きユニット４３を使用して払い出すべき薬品が保管されている保管棚を識別するための番号である。前記薬品は、例えば、ＰＴＰシート又はヒートシールに収容された状態で前記保管棚に保管されている。
【０１００】
前記「ＤＴＡ」は、取り揃えられた前記薬品の少なくとも一部が前記手撒きユニット４３を使用して払い出されるか否かを示している。前記「ＵＣ」は、取り揃えられた前記薬品の少なくとも一部が前記可変カセット４１Ｂを使用して払い出されるか否かを示している。例えば、図１４に示されるＪ薬品については、取り揃えられた全ての薬品が前記手撒きユニット４３を使用して払い出される。一方、Ｎ薬品については、取り揃えられた全ての薬品が前記可変カセット４１Ｂを使用して払い出される。なお、Ｋ薬品、Ｌ薬品、及びＭ薬品については、取り揃えられた薬品の一部が前記手撒きユニット４３を使用して払い出され、残りの一部が前記可変カセット４１Ｂを使用して払い出される。
【０１０１】
前記「薬品名」は、取り揃えるべき薬品の名称である。
【０１０２】
前記「総量」は、前記可変カセット４１Ｂ又は前記手撒きユニット４３を使用して払い出すべき薬品の総数量である。なお、全施設用の取り揃え指示書Ｆ２ａにおける前記「総量」は、全施設の調剤動作において前記可変カセット４１Ｂ又は前記手撒きユニット４３を使用して払い出すべき薬品の総数量を示している。一方、各施設用の取り揃え指示書Ｆ２ｂにおける前記「総量」は、対応する施設の調剤動作において前記可変カセット４１Ｂ又は前記手撒きユニット４３を使用して払い出すべき薬品の総数量を示している。
【０１０３】
前記バーコードＣ１には、取り揃えるべき薬品の薬品識別情報を示すファイルのアドレス情報が含まれている。前記取り揃え作業の作業者が、不図示のピッキング支援端末で前記バーコードＣ１を読み取ると、前記ピッキング支援端末は、通信網を通じて前記ファイルにアクセスし、取り揃えるべき薬品の薬品識別情報を取得する。その後、前記作業者が、前記保管棚から取り出した薬品の包装部材に表示されているバーコード（薬品識別情報が含まれるバーコード）を前記ピッキング支援端末で読み取ると、前記ピッキング支援端末は、前記ファイルに示される薬品識別情報と前記包装部材から読み取られた薬品識別情報との照合処理を行う。これにより、前記取り揃え作業における薬品の取り間違いが抑制される。
【０１０４】
［半錠薬品指示書Ｆ３］
前記半錠薬品指示書Ｆ３は、前記複数の処方データに処方薬として含まれる払出対象の薬品のうち、前記手撒きユニット４３を使用して払い出すべき半錠の錠剤及び１／４錠の錠剤を用意するための錠剤カット作業の内容を示す前記作業情報である。前記錠剤カット作業では、ＰＴＰシートなどから取り出された錠剤が、薬剤師により半錠又は１／４錠にカットされる。
【０１０５】
前記出力処理部１１２は、全施設用の前記半錠薬品指示書Ｆ３を出力する。図１６は、全施設用の前記半錠薬品指示書Ｆ３を示している。なお、他の実施形態として、前記出力処理部１１２は、施設ごとに対応する前記半錠薬品指示書Ｆ３を出力してもよい。
【０１０６】
図１６に示されるように、前記半錠薬品指示書Ｆ３には、「締め日時」、「実施日」、「薬品名」、「総量」、「０．５」、「０．２５」などの情報が含まれる。
【０１０７】
前記「締め日時」は、前記仮締め処理が実行された日時を示す。なお、前記取り揃え指示書Ｆ２は、前記仮締め処理において生成されるので、前記「締め日時」は、前記取り揃え指示書Ｆ２が生成された日時でもある。前記「実施日」は、前記複数の処方データに基づいて調剤された薬品の服用開始日を示す。前記「薬品名」は、半錠又は１／４錠にカットすべき薬品の名称である。
【０１０８】
前記「総量」は、半錠又は１／４錠にカットすべき薬品の総数量である。前記「０．５」の項目において示されている数字は、前記手撒きユニット４３を使用して払い出すべき半錠の錠剤の総個数である。前記「０．２５」の項目において示されている数字は、前記手撒きユニット４３を使用して払い出すべき１／４錠の錠剤の総個数である。例えば、図１６に示されるＪ薬品については、半錠の錠剤を６個と１／４錠の錠剤を２個用意する必要がある。これらの半錠及び１／４錠の錠剤を用意するためには、３．５錠分のＪ薬品が必要となる。
【０１０９】
［調剤手順指示書Ｆ４］
前記調剤手順指示書Ｆ４は、前記複数の処方データに対応する調剤動作を実行するために必要となる薬品の準備に関する各種作業の内容及び作業タイミングを示す前記作業情報である。前記各種作業には、例えば、前記薬品カセット４１に薬品を充填する前記充填作業、前記薬品払出装置４に実装されている前記薬品カセット４１を別の前記薬品カセット４１に入れ替える実装カセット入替作業などが含まれる。例えば、図１７及び図１８に示される前記調剤手順指示書Ｆ４では、前記薬品払出装置４を使用して調剤される前記処方データ各々の情報と、前記各種作業の情報とが、時系列に並べて表示されている。なお、図１７は、前記調剤手順指示書Ｆ４の１ページ目を示しており、図１８は、前記調剤手順指示書Ｆ４の２ページ目を示している。
【０１１０】
前記出力処理部１１２は、施設ごとに前記調剤手順指示書Ｆ４を出力する。図１７及び図１８は、Ａ施設に対応する前記調剤手順指示書Ｆ４を示している。なお、Ｂ施設に対応する前記調剤手順指示書Ｆ４については図示を省略する。
【０１１１】
図１７及び図１８に示されるように、前記調剤手順指示書Ｆ４には、「締め日時」、「実施日」、「入替棚番」、「対象棚番」、「入替薬品名」、「対象薬品名」、「充填量」、「総量」、「オーダーＮｏ」、「患者ＩＤ」、「患者名」、「ＵＣ」、「ＤＴＡ」などの情報が含まれる。
【０１１２】
前記「締め日時」は、後述の仮締め処理が実行された日時を示す。なお、前記薬品充填指示書Ｆ１は、前記仮締め処理において生成されるので、前記「締め日時」は、前記薬品充填指示書Ｆ１が生成された日時でもある。前記「実施日」は、前記複数の処方データに基づいて調剤された薬品の服用開始日を示す。
【０１１３】
前記「入替棚番」は、前記実装カセット入替作業において前記薬品払出装置４から取り外すべき前記薬品カセット４１の装着位置を示す情報（例えば、前記薬品カセット４１が装着されている装着部４２に対応する番号）である。
【０１１４】
前記「対象棚番」は、前記実装カセット入替作業において前記薬品払出装置４に装着すべき前記薬品カセット４１の装着位置を示す情報（例えば、前記薬品カセット４１を装着すべき装着部４２に対応する番号）、又は前記充填作業において薬品を充填すべき前記薬品カセット４１の装着位置を示す情報（例えば、前記薬品カセット４１が装着されている装着部４２に対応する番号）である。
【０１１５】
前記「入替薬品名」は、前記実装カセット入替作業において前記薬品払出装置４から取り外すべき前記薬品カセット４１に収容されている薬品の名称である。
【０１１６】
前記「対象薬品名」は、前記実装カセット入替作業において前記薬品払出装置４に装着すべき前記薬品カセット４１に収容されている薬品の名称、又は前記充填作業において前記薬品カセット４１に充填すべき薬品の名称である。
【０１１７】
前記「充填量」は、前記薬品カセット４１に充填すべき薬品の数量である。前記「総量」は、薬品が充填された後に前記薬品カセット４１に収容されている薬品の数量である。
【０１１８】
前記「オーダーＮｏ」は、前記処方データを識別するための処方識別情報である。前記「患者ＩＤ」及び前記「患者名」は、前記処方データに対応する患者を識別するための患者識別情報である。
【０１１９】
前記「ＵＣ」は、対応する前記処方データの調剤動作において前記可変カセット４１Ｂが使用されるか否かを示している。具体的に、前記可変カセット４１Ｂが使用される場合に、前記「ＵＣ」の欄に黒丸のマークが表示される。前記「ＤＴＡ」は、対応する前記処方データの調剤動作において前記手撒きユニット４３が使用されるか否かを示している。具体的に、前記手撒きユニット４３が使用される場合に、前記「ＤＴＡ」の欄に黒丸のマークが表示される。
【０１２０】
薬剤師などの作業者は、前記調剤手順指示書Ｆ４を参照しつつ、前記充填作業、前記実装カセット入替作業などの各種作業を行うことによって、これらの作業を適切なタイミングで行うことが可能である。例えば、図１７及び図１８に示されるＡ施設用の前記調剤手順指示書Ｆ４に従って行われる前記作業者の作業内容は以下の通りである。
【０１２１】
前記調剤手順指示書Ｆ４では、前記薬品払出装置４による調剤動作の開始前に行うべき前記各種作業と、前記調剤動作の開始後に行うべき前記各種作業とが識別可能に表示されている。例えば、図１７に示される調剤手順指示書Ｆ４において、「患者１」に対応する処方データ（すなわち、１番目に調剤される処方データ）よりも上に表示されている充填作業及び実装カセット入替作業は、前記薬品払出装置４による調剤動作の開始前に行うべき作業である。一方、図１８に示される調剤手順指示書Ｆ４において、「患者１３」に対応する処方データと「患者１４」に対応する処方データとの間に表示されている充填作業及び実装カセット入替作業は、前記薬品払出装置４による調剤動作の開始後（より具体的には、「患者１３」に対応する処方データの調剤動作が終了してから「患者１４」に対応する処方データの調剤動作が開始されるまでの間）に行うべき作業である。
【０１２２】
前記作業者は、前記調剤手順指示書Ｆ４に従って、まず、前記薬品払出装置４による調剤動作の開始前に行うべき前記各種作業（ここでは、前記充填作業及び前記実装カセット入替作業）を行う。なお、前記充填作業及び前記実装カセット入替作業の実行順序は任意である。
【０１２３】
前記充填作業では、前記薬品払出装置４に装着されているＡ薬品の前記薬品カセット４１に１５錠の薬品が充填される。その結果、Ａ薬品の前記薬品カセット４１における在庫量は２０錠となる。また、前記薬品払出装置４に装着されているＢ薬品の前記薬品カセット４１に１７錠の薬品が充填される。その結果、Ｂ薬品の前記薬品カセット４１における在庫量は２０錠となる。また、前記薬品払出装置４に装着されているＣ薬品の前記薬品カセット４１に２０錠の薬品が充填される。その結果、Ｃ薬品の前記薬品カセット４１における在庫量は２０錠となる。
【０１２４】
前記実装カセット入替作業では、前記薬品払出装置４に装着されているＸ薬品の前記薬品カセット４１が、前記薬品払出装置４に装着されていない（例えば、所定の保管場所に保管されている）Ｅ薬品の前記薬品カセット４１と入れ替えられる。このとき、Ｅ薬品の前記薬品カセット４１に２０錠の薬品が充填される。その結果、Ｅ薬品の前記薬品カセット４１における在庫量は３０錠となる。
【０１２５】
なお、Ｅ薬品の前記薬品カセット４１に充填すべき薬品の数量は、前記複数の処方データに対応する調剤動作に必要となるＥ薬品の総数量（すなわち、３０錠）と、その時点でのＤ薬品の前記薬品カセット４１における在庫量（すなわち、１０錠）とに基づいて算出される。前記薬品払出装置４は、前記薬品払出装置４から取り外された前記薬品カセット４１における在庫量の情報も保持している。よって、前記取得処理部は、Ｅ薬品の前記薬品カセット４１における在庫量の情報も、前記実装情報として取得することが可能である。
【０１２６】
さらに、前記実装カセット入替作業では、前記薬品払出装置４に装着されているＹ薬品の前記薬品カセット４１が、前記薬品払出装置４に装着されていないＦ薬品の前記薬品カセット４１と入れ替えられる。このとき、Ｆ薬品の前記薬品カセット４１に５錠の薬品が充填される。その結果、Ｆ薬品の前記薬品カセット４１における在庫量は３０錠となる。また、前記薬品払出装置４に装着されているＺ薬品の前記薬品カセット４１が、前記薬品払出装置４に装着されていないＧ薬品の前記薬品カセット４１と入れ替えられる。このとき、Ｇ薬品の前記薬品カセット４１に４０錠の薬品が充填される。その結果、Ｇ薬品の前記薬品カセット４１における在庫量は７０錠となる。なお、ここでは、Ｇ薬品の前記薬品カセット４１の容量は７０錠であるとする。よって、この時点では、Ｇ薬品の前記薬品カセット４１は満杯の状態となる。なお、総量から在庫量を減算した値が前記薬品カセット４１の容量を超える場合には、当該薬品カセット４１の容量から在庫量を減算した値、即ち前記薬品カセット４１を満杯にするための値が充填量として算出されてもよい。
【０１２７】
前記充填作業及び前記実装カセット入替作業が完了すると、前記作業者は、後述する本締め操作を行う。これにより、前記薬品払出装置４において前記複数の処方データに対応する調剤動作が開始される。具体的に、図１７及び図１８に示されるように、「患者１」に対応する前記処方データ、「患者２」に対応する前記処方データ、「患者３」に対応する前記処方データ、・・・の順番で調剤動作が実行される。
【０１２８】
図１８に示されるように、「患者１３」に対応する前記処方データに対応する調剤動作が完了すると、例えば前記調剤支援装置１からの制御信号に基づいて、前記薬品払出装置４における調剤動作は一時的に停止される。そして、前記作業者は、前記調剤手順指示書Ｆ４に従って前記充填作業及び前記実装カセット入替作業を行う。なお、前記充填作業及び前記実装カセット入替作業の実行順序は任意である。
【０１２９】
前記充填作業では、前記薬品払出装置４に装着されているＧ薬品の前記薬品カセット４１に７０錠の薬品が充填される。その結果、Ｇ薬品の前記薬品カセット４１における在庫量は７０錠（満杯）となる。
【０１３０】
前記実装カセット入替作業では、前記薬品払出装置４に装着されているＢ薬品の前記薬品カセット４１が、前記薬品払出装置４に装着されていないＨ薬品の前記薬品カセット４１と入れ替えられる。このとき、Ｈ薬品の前記薬品カセット４１に５錠の薬品が充填される。その結果、Ｈ薬品の前記薬品カセット４１における在庫量は２５錠となる。
【０１３１】
前記充填作業及び前記実装カセット入替作業が完了すると、前記薬品払出装置４における調剤動作が再開される。具体的に、図１８に示されるように、「患者１４」に対応する前記処方データ、「患者１５」に対応する前記処方データ、「患者１６」に対応する前記処方データ、・・・の順番で調剤動作が実行される。
【０１３２】
なお、「患者１８」に対応する前記処方データの調剤動作では、前記可変カセット４１Ｂが使用される。この場合、前記作業者によって前記可変カセット４１Ｂに薬品を充填する充填作業が行われることがある。「患者１９」〜「患者２３」に対応する前記処方データについても同様である。
【０１３３】
また、「患者２１」に対応する前記処方データの調剤動作では、前記手撒きユニット４３が使用される。この場合、前記作業者によって前記手撒きユニット４３に薬品を手撒きする手撒き作業が行われることがある。「患者２２」〜「患者２６」に対応する前記処方データについても同様である。
【０１３４】
施設Ａの処方データに対応する調剤動作が完了すると、前記作業者は、施設Ｂ用の前記調剤手順指示書Ｆ４に従って、必要に応じて施設Ｂの処方データに対応する調剤動作を実行するために必要となる薬品の準備に関する各種作業を行う。
【０１３５】
このように、前記作業者は、前記調剤手順指示書Ｆ４を参照することによって、前記複数の処方データに対応する調剤動作を実行するために必要となる薬品の準備に関する各種作業を効率良く行うことができる。
【０１３６】
［ヒート薬品指示書Ｆ５］
前記ヒート薬品指示書Ｆ５は、前記複数の処方データに処方薬として含まれる払出対象の薬品のうち、ＰＴＰシート又はヒートシールに収容された状態で施設に配送すべき薬品を取り揃えるピッキング作業の内容を示す前記作業情報である。前記ピッキング作業では、薬剤師などの作業者は、必要に応じて前記シート払出装置又は前記ピッキング支援端末を使用して、施設に配送すべき薬品を取り揃えてもよい。
【０１３７】
前記出力処理部１１２は、施設ごとに前記ヒート薬品指示書Ｆ５を出力する。図１９は、Ａ施設に対応する前記ヒート薬品指示書Ｆ５を示している。なお、他の実施形態として、前記出力処理部１１２は、全施設用の前記ヒート薬品指示書Ｆ５を出力してもよい。
【０１３８】
図１９に示されるように、前記ヒート薬品指示書Ｆ５には、「締め日時」、「実施日」、「棚番」、「薬品名」、「総量」、及びバーコードＣ２などの情報が含まれる。
【０１３９】
前記「締め日時」は、前記仮締め処理が実行された日時を示す。なお、前記取り揃え指示書Ｆ２は、前記仮締め処理において生成されるので、前記「締め日時」は、前記取り揃え指示書Ｆ２が生成された日時でもある。前記「実施日」は、前記複数の処方データに基づいて調剤された薬品の服用開始日を示す。前記「薬品名」は、半錠又は１／４錠にカットすべき薬品の名称である。
【０１４０】
前記「棚番」は、前記ピッキング作業において取り揃えるべき薬品が保管されている保管棚を識別するための番号である。前記薬品は、ＰＴＰシート又はヒートシールに収容された状態で前記保管棚に保管されている。前記「薬品名」は、前記ピッキング作業において取り揃えるべき薬品の名称である。前記「総量」は、前記ピッキング作業において取り揃えるべき薬品の総数量である。
【０１４１】
前記バーコードＣ２には、前記ピッキング作業において取り揃えるべき薬品の薬品識別情報を示すファイルのアドレス情報が含まれている。前記ピッキング作業の作業者が、不図示のピッキング支援端末で前記バーコードＣ２を読み取ると、前記ピッキング支援端末は、通信網を通じて前記ファイルにアクセスし、取り揃えるべき薬品の薬品識別情報を取得する。その後、前記作業者が、前記保管棚から取り出した薬品の包装部材に表示されているバーコード（薬品識別情報が含まれるバーコード）を前記ピッキング支援端末で読み取ると、前記ピッキング支援端末は、前記ファイルに示される薬品識別情報と前記包装部材から読み取られた薬品識別情報との照合処理を行う。これにより、前記ピッキング作業における薬品の取り間違いが抑制される。
【０１４２】
前記作業情報には、前記薬品の準備に関する作業タイミングを示す情報が含まれてもよい。すなわち、前記出力処理部１１２は、前記複数の処方データに対応する調剤動作の実行途中において必要となる薬品の準備に関する作業内容及び作業タイミングを示す情報を含む前記作業情報を出力してもよい。例えば、図１７及び図１８に示される前記調剤手順指示書Ｆ４には、「患者１３」に対応する処方データの調剤動作が完了した時点で作業者が行うべき前記充填作業及び前記実装カセット入替作業の内容が示されている。
【０１４３】
なお、前記出力処理部１１２は、前記複数の処方データに対応する調剤動作において、遅くとも第１タイミングまでに前記薬品払出装置４に第１薬品を充填する必要があり、遅くとも前記第１タイミングよりも後の第２タイミングまでに前記薬品払出装置４に第２薬品を充填する必要がある場合に、前記第１薬品及び前記第２薬品の両方を前記第１タイミングと同じか又は前記第１タイミングよりも前のタイミングである第３タイミングで前記薬品払出装置４に充填すべきことを示す前記作業情報を出力してもよい。これにより、異なるタイミングで行われ得る複数の薬品についての前記充填作業を、同じタイミングでまとめて行うように作業者に促すことができるので、前記充填作業の効率を向上させることができる。
【０１４４】
また、前記出力処理部１１２は、前記複数の処方データに対応する調剤動作において、遅くとも第１タイミングまでに前記薬品払出装置４に第１の前記薬品カセット４１を装着する必要があり、遅くとも前記第１タイミングよりも後の第２タイミングまでに前記薬品払出装置４に前記第１の前記薬品カセット４１とは異なる第２の前記薬品カセット４１を装着する必要がある場合に、前記第１の前記薬品カセット４１及び前記第２の前記薬品カセット４１の両方を前記第１タイミングと同じか又は前記第１タイミングよりも前のタイミングである第３タイミングで前記薬品払出装置４に装着すべきことを示す前記作業情報を出力してもよい。なお、前記第１の前記薬品カセット４１は、本発明における第１カセットの一例であり、前記第２の前記薬品カセット４１は、本発明における第２カセットの一例である。これにより、異なるタイミングで行われ得る複数の前記薬品カセットについての前記実装カセット入替作業を、同じタイミングでまとめて行うように作業者に促すことができるので、前記実装カセット入替作業の効率を向上させることができる。
【０１４５】
なお、前記第３タイミングは、例えば、前記複数の処方データにおける任意の処方データの調剤動作が開始される直前のタイミング、又は任意の処方データの調剤動作が終了した直後のタイミングである。このようなタイミング（すなわち、或る処方データの調剤動作が終了してから次の処方データの調剤動作が開始されるまでの間のタイミング）で前記充填作業又は前記実装カセット入替作業を行うようにすれば、いずれかの処方データの調剤動作が行われている最中に調剤動作を停止させる必要がないので、前記充填作業又は前記実装カセット入替作業を円滑に行うことができる。
【０１４６】
前記決定処理部１１３は、前記複数の処方データを複数のグループにグループ化し、前記グループごとに順次に調剤動作が実行されるように前記複数の処方データに対応する調剤動作の実行順序を決定することが可能である。
【０１４７】
前記決定処理部１１３は、前記複数の処方データを手撒き作業が必要なグループ（すなわち、処方薬の中に前記手撒きユニット４３から払い出すべき薬品が含まれている前記処方データのグループ）と手撒き作業が不要なグループとにグループ化し、いずれか一方のグループに対応する調剤動作の実行後に他方のグループに対応する調剤動作が実行されるように、前記複数の処方データに対応する調剤動作の実行順序を決定してもよい。これにより、前記手撒き作業が必要なグループ（例えば、図１８に示される「患者２１」〜「患者２６」に対応する前記処方データ）の調剤動作が連続して実行されるため、作業者は、前記手撒き作業を集中的に行うことができるので、調剤業務の効率を向上させることができる。特に、手撒き作業が不要なグループの調剤動作が先に実行される場合には、前記手撒き作業の完了を待つことなしに最初の前記処方データの調剤を開始することができるので、前記複数の処方データに対応する調剤動作を早期に開始することができる。また、作業者は、手撒き作業が不要なグループの調剤動作が行われている最中に、前記手撒き作業のための準備作業（例えば、錠剤のカット作業など）を行うことができる。よって、前記準備作業が完了するまで前記薬品払出装置４を待機させておく必要がないため、前記薬品払出装置４の稼働率を向上させることができる。一方、手撒き作業が必要なグループの調剤動作が先に実行される場合には、手撒き作業が必要なグループの調剤動作が完了した後は前記手撒き作業を行う必要がない。よって、作業者は、前記グループの手撒き作業を終えた後、調剤された薬品の監査業務などの他の業務に専念することができる。
【０１４８】
前記決定処理部１１３は、前記複数の処方データを配送先ごと（例えば、施設ごと、フロアごと、又は部屋ごと）にグループ化し、前記グループごとに順次に調剤動作が実行されるように、前記複数の処方データに対応する調剤動作の実行順序を決定してもよい。これにより、同一の配送先に配送すべき薬品が前記薬品払出装置４から連続して払い出されるので、前記薬品払出装置４から払い出された薬品を配送先ごとに仕分けする仕分け作業が不要又は容易となり、調剤業務の効率を向上させることができる。
【０１４９】
前記決定処理部１１３は、前記複数の処方データを配送先ごと（例えば、施設ごと）にグループ化した前記グループ各々において、前記グループに含まれる前記処方データを手撒き作業が必要なサブグループと手撒き作業が不要なサブグループとにグループ化し、いずれか一方のサブグループに対応する調剤動作の実行後に他方のサブグループに対応する調剤動作が実行されるように、前記複数の処方データに対応する調剤動作の実行順序を決定してもよい。これにより、前記仕分け作業が不要又は容易になるとともに、作業者は、配送先ごとに前記手撒き作業を集中的に行うことができるので、調剤業務の効率を向上させることができる。
【０１５０】
ところで、前記作業情報は、前記作業情報が出力された時点（すなわち、前記仮締め処理が実行された時点）において前記薬品払出装置４に実装されている薬品の種類及び数量の少なくとも一方の情報に基づいて生成される。よって、もしも前記作業情報に対応する前記複数の処方データに対応する調剤動作の実行が開始される前に、前記複数の処方データとは異なる処方データに対応する調剤動作が実行されてしまうと、前記薬品払出装置４に実装されている薬品の種類及び数量の少なくとも一方にずれが生じてしまう。その結果、例えば前記作業情報に従って作業を行っているにも関わらず、予期しないタイミングで薬品が不足してしまい、前記薬品払出装置４が停止してしまう、又は不足した薬品を前記手撒きユニット４３に手撒きする必要が生じてしまうことがある。
【０１５１】
前記警告処理部１１４は、前記出力処理部により前記作業情報が出力された後、前記作業情報に対応する前記複数の処方データに対応する調剤動作の実行が開始される前に、前記複数の処方データとは異なる処方データに対応する調剤動作の実行の指示（例えば、前記複数の処方データとは異なる処方データについての調剤開始操作など）が検出された場合に、予め定められた警告処理を実行する。これにより、上記のような不具合の発生を抑制することができる。
【０１５２】
前記記憶部１２には、患者マスター、患者マスター、薬剤師マスター、処方箋区分マスター、診療科マスター、及び病棟マスターなどの各種データベースも記憶されている。例えば、前記薬品マスターには、薬品コード、薬品名、ＪＡＮコード（又はＲＳＳ）、薬瓶コード、区分（剤形：散薬、錠剤、水剤、外用薬など）、比重、薬品種（普通薬、毒薬、麻薬、劇薬、抗精神薬、治療薬など）、配合変化、賦形薬品、注意事項などの情報が含まれる。さらに、前記薬品マスターには、薬品ごとに発現するおそれのある副作用に関する副作用関連情報も含まれる。これにより、前記調剤支援装置１において、前記制御部１１は、例えば副作用の内容が選択された場合に、その副作用の原因となっている可能性の高い薬品を前記副作用関連情報と前記処方データとに基づいて特定する被疑薬特定処理を実行することも可能である。また、前記患者マスターには、患者各々の患者ＩＤ、氏名、性別、年齢、住所、既往歴、家族情報、診療科、入院病棟などの情報が含まれる。前記患者マスターには、患者が入院している病院、患者が入居している老健施設などを示す施設識別情報が含まれてもよい。
【０１５３】
また、前記記憶部１２には、前記上位システム９から取得する前記処方データがデータベース形式で記憶される。前記処方データには、例えば処方箋交付年月日、オーダーナンバー、処方区分、ＢＣＤ、患者ＩＤ、患者名、患者生年月日、薬品情報（薬品コード、薬品名、用量など）、剤形情報（内服、外用など）、用法情報（服用時期を含む）、診療種別（外来、入院など）、診療科などの情報が含まれる。また、前記処方データ各々には、前記処方データに基づいて調剤された薬品の配送先（例えば、病院、老健施設など）を示す配送先識別情報及び配送日を示す配送日情報が関連付けられている。前記配送先識別情報及び前記配送日情報は、前記上位システム９から取得される前記処方データ各々に含まれていてもよい。もしくは、前記前記上位システム９から前記処方データと一緒に前記配送先識別情報及び前記配送日情報が取得されてもよい。もしくは、前記配送先識別情報及び前記配送日情報が前記操作部１５を通じて入力されてもよい。なお、前記配送先識別情報は、前記患者マスターに含まれる前記施設識別情報であってもよい。
【０１５４】
前記通信ＩＦ１３は、前記通信網Ｎ１を介して前記プリンター２、前記薬品払出装置４、及び前記上位システム９との間で、予め定められた通信プロトコルに従って無線又は有線でデータ通信を実行するネットワークカード等を有する。前記表示部１４は、前記制御部１１からの制御指示に従って各種の情報を表示する液晶ディスプレイ又は有機ＥＬディスプレイなどの表示手段である。前記操作部１５は、前記調剤支援装置１に各種の情報を入力するためにユーザーによって操作される操作手段である。具体的に、前記操作部１５は、前記表示部１４の表示画面に従った各種の情報の入力操作を受け付けるキーボード及びマウス（ポインティングデバイス）を含む。
【０１５５】
前記ドライブ装置１６は、前記調剤支援プログラムが記録されたコンピュータ読み取り可能な記録媒体１７から前記調剤支援プログラムを読み取ることが可能である。そして、前記調剤支援装置１では、前記制御部１１により、前記記録媒体１７から前記ドライブ装置１６で読み取られた前記調剤支援プログラムが前記記憶部１２にインストールされる。
【０１５６】
［プリンター２］
前記プリンター２は、前記調剤支援装置１からの制御指示に従って、紙などのシートに各種の情報を印刷（記録）する。例えば、前記プリンター２は、前記調剤支援装置１からの制御指示に従って、前記薬品充填指示書Ｆ１、前記取り揃え指示書Ｆ２、前記半錠薬品指示書Ｆ３、前記調剤手順指示書Ｆ４、前記ヒート薬品指示書Ｆ５などを出力する。
【０１５７】
［仮締め処理］
次に、図２０を参照しつつ、前記調剤支援装置１の前記制御部１１により実行される仮締め処理の手順の一例について説明する。前記仮締め処理は、例えば、前記表示部１４に表示されるメニュー画面（不図示）に含まれる［仮締め］ボタンが操作されたことに応じて開始される。なお、本発明は、前記仮締め処理を実行することによって調剤業務を支援する調剤支援方法の発明として捉えてもよい。
【０１５８】
＜ステップＳ１１＞
まず、ステップＳ１１において、前記制御部１１は、前記表示部１４に締め管理画面Ｐ１を表示させる。図２２は、前記締め管理画面Ｐ１の一例を示す図である。前記締め管理画面Ｐ１には、件数表示領域Ａ１１、処方表示領域Ａ１２、操作キーＫ１１、操作キーＫ１２などが含まれる。
【０１５９】
前記件数表示領域Ａ１１には、前記上位システム９から取得されて前記記憶部１２に保存されている複数の処方データのうち、まだ調剤も仮締めも行われていない前記処方データ（以下、仮締め候補データと称する）の件数が、配送日ごと及び施設（配送先）ごとに表示される。また、前記件数表示領域Ａ１１には、前記仮締め候補データの配送日ごとの合計件数も表示される。
【０１６０】
＜ステップＳ１２＞
ステップＳ１２において、前記制御部１１は、ユーザー操作に応じて、前記仮締め候補データの中から一又は複数の前記仮締め候補データを仮締め対象データとして選択する。前記処方表示領域Ａ１２には、ユーザー操作に応じて選択された前記仮締め候補データの一覧が表示される。
【０１６１】
例えば、作業者は、前記操作部１５（例えば、マウスなど）を操作して、前記件数表示領域Ａ１１において件数が表示されている任意の一又は複数のマスを選択することが可能である。作業者によって前記マスが選択されると、選択された前記マスに対応する前記仮締め候補データが、前記仮締め対象データとして選択されて、前記処方表示領域Ａ１２に表示される。
【０１６２】
また、作業者は、前記締め管理画面Ｐ１に含まれる前記操作キーＫ１１を操作することによって、配送日が今日の日付となっている前記仮締め候補データを一括して前記仮締め対象データとして選択することが可能である。作業者によって前記操作キーＫ１１が操作されると、配送日が今日の日付となっている前記仮締め候補データが、前記仮締め対象データとして選択されて、前記処方表示領域Ａ１２に表示される。
【０１６３】
なお、作業者は、前記操作部１５を操作して、前記処方表示領域Ａ１２に表示されている前記仮締め対象データのうち、任意の前記仮締め対象データだけを仮締め対象から除外することが可能である。
【０１６４】
なお、本実施形態では、ユーザー操作に応じて前記仮締め対象データが選択されるが、他の実施形態では、予め設定された仮締め条件を満たす前記仮締め候補データが、前記仮締め対象データとして自動的に選択されてもよい。例えば、前記締め管理画面Ｐ１が表示された時点で、配送日が今日の日付となっている前記仮締め候補データが、前記仮締め対象データとして自動的に選択されてもよい。
【０１６５】
＜ステップＳ１３＞
ステップＳ１３において、前記制御部１１は、予め定められた仮締め操作が行われたか否かを判断する。具体的に、前記制御部１１は、前記締め管理画面Ｐ１に含まれる前記操作キーＫ１２が操作された場合に、前記仮締め操作が行われたと判断する。そして、前記仮締め操作が行われたと判断されると（Ｓ１３：Ｙｅｓ）、前記制御部１１は、処理をステップＳ１４に移行させる。一方、前記仮締め操作が行われていないと判断されると（Ｓ１３：Ｎｏ）、前記制御部１１は、処理を前記ステップＳ１２に戻す。なお、処理が前記ステップＳ１２に戻された後、当該ステップＳ１２では前記仮締め対象データの選択操作が受け付けられるが、当該選択操作がない場合にも処理はステップＳ１３に移行する。即ち、前記ステップＳ１２〜Ｓ１３では、前記仮締め操作が行われるまでの間、前記仮締め対象データの選択操作が受け付け可能である。
【０１６６】
＜ステップＳ１４＞
ステップＳ１４において、前記制御部１１は、前記薬品払出装置４から、前記薬品カセット４１各々に収容されている薬品の種類及び数量の少なくとも一方の情報を含む前記実装情報を取得する。当該ステップＳ１４の処理は前記制御部１１の前記取得処理部１１１により実行される。
【０１６７】
＜ステップＳ１５＞
ステップＳ１５において、前記制御部１１は、前記仮締め対象データについての調剤順序を決定する。当該ステップＳ１５の処理は前記制御部１１の前記決定処理部１１３により実行される。
【０１６８】
具体的に、前記制御部１１は、前記仮締め対象データを配送先ごと（すなわち、施設ごと）にグループ化し、前記グループごとに順次に調剤動作が実行されるように、前記仮締め対象データについての調剤順序を決定する。例えば、配送先がＡ施設である前記仮締め対象データ→配送先がＢ施設である前記仮締め対象データ→配送先がＣ施設である前記仮締め対象データ→配送先がＤ施設である前記仮締め対象データというように、前記仮締め対象データについての調剤順序が決定される。
【０１６９】
なお、前記制御部１１は、施設ごとの前記仮締め対象データの件数に応じて、前記仮締め対象データについての調剤順序を決定してもよい。例えば、前記仮締め対象データの件数が多い施設に対応する前記仮締め対象データから順番に調剤されるように、前記仮締め対象データについての調剤順序が決定されてもよい。これにより、例えば、施設ごとの調剤動作が完了するごとに前記薬品払出装置４を一時的に停止させる必要がある場合に、前記薬品払出装置４の停止タイミングをより遅らせることができるので、前記停止タイミングまでの間に、より多くの前記仮締め対象データについての調剤動作を完了させることができる。
【０１７０】
また、前記制御部１１は、前記手撒きユニット４３も前記可変カセット４１Ｂも使用せずに調剤される前記仮締め対象データの件数が最も多い施設に対応する前記仮締め対象データから順番に調剤されるように、前記仮締め対象データについての調剤順序を決定してもよい。これにより、前記手撒き作業又は前記可変カセット４１Ｂへの薬品の充填作業の作業タイミングをより遅らせることができるので、前記手撒き作業又は前記可変カセット４１Ｂへの薬品の充填作業までの間に、より多くの前記仮締め対象データについての調剤動作を完了させることができる。
【０１７１】
また、前記制御部１１は、配送先ごとにグループ化された各グループにおいて、前記手撒きユニット４３を使用せずに調剤される前記仮締め対象データが、前記手撒きユニット４３を使用して調剤される前記仮締め対象データよりも先に調剤されるように、前記仮締め対象データについての調剤順序を決定してもよい。
【０１７２】
また、前記制御部１１は、配送先ごとにグループ化された各グループにおいて、前記可変カセット４１Ｂを使用せずに調剤される前記仮締め対象データが、前記可変カセット４１Ｂを使用して調剤される前記仮締め対象データよりも先に調剤されるように、前記仮締め対象データについての調剤順序を決定してもよい。これにより、前記可変カセット４１Ｂへの薬品の充填作業及び前記可変カセット４１Ｂの準備動作（例えば、前記高さ規制部材７０５及び前記幅規制部材７０６の調整動作など）の完了を待つことなしに最初の前記処方データの調剤を開始することができるので、前記複数の処方データに対応する調剤動作を早期に開始することができる。また、前記制御部１１は、前記可変カセット４１Ｂを使用して調剤される複数の前記仮締め対象データについて、前記可変カセット４１Ｂから同一の薬品を払い出す必要がある複数の前記仮締め対象データができる限り連続して調剤されるように、前記仮締め対象データについての調剤順序が決定されてもよい。これにより、前記可変カセット４１Ｂに対して薬品を割り当て直す回数が減るため、前記可変カセット４１Ｂの準備動作（例えば、前記高さ規制部材７０５及び前記幅規制部材７０６の調整動作など）の実行回数及び前記可変カセット４１Ｂへの薬品の充填作業の回数を減らすことができ、前記薬品払出装置４の稼働率を向上させることができる。
【０１７３】
また、前記制御部１１は、配送先ごとにグループ化された各グループにおいて、前記手撒きユニット４３も前記可変カセット４１Ｂも使用せずに調剤される前記仮締め対象データ→前記可変カセット４１Ｂを使用して調剤される前記仮締め対象データ→前記手撒きユニット４３を使用して調剤される前記仮締め対象データという順番で調剤されるように、前記仮締め対象データについての調剤順序を決定してもよい。これにより、作業者による作業の手間が少ない前記仮締め対象データほど先に調剤されるので、作業者による作業の完了を待つために前記薬品払出装置４を停止させなければならない状況が発生してしまうことを抑制することができる。よって、前記薬品払出装置４の稼働率を向上させることができる。
【０１７４】
なお、前記制御部１１は、前記仮締め対象データについての調剤動作の途中で必要となる前記充填作業の発生タイミングがより遅くなるように、前記仮締め対象データについての調剤順序を決定してもよい。例えば、前記仮締め対象データについての調剤動作の途中で特定の薬品についての前記充填作業が発生することが分かっている場合、前記制御部１１は、前記特定の薬品の必要数がより少ない前記仮締め対象データ（前記特定の薬品が処方薬として含まれない前記仮締め対象データも含む）から順番に調剤されるように、前記仮締め対象データについての調剤順序を決定してもよい。これにより、前記充填作業の発生タイミングをより遅らせることができるので、前記充填作業が発生するまでの間に、より多くの前記仮締め対象データについての調剤動作を完了させることができる。
【０１７５】
また、前記制御部１１は、前記仮締め対象データについての調剤動作の途中で必要となる前記実装カセット入替作業の回数がより少なくなるように、前記仮締め対象データについての調剤順序を決定してもよい。例えば、同一の薬品が処方薬として含まれる複数の前記仮締め対象データができる限り連続して調剤されるように、前記仮締め対象データについての調剤順序が決定されてもよい。これにより、前記実装カセット入替作業の回数を低減させることができるので、作業者の手間を低減させることができる。
【０１７６】
なお、前記仮締め対象データについての調剤順序の決定方法は、上記の例に限定されない。他の実施形態では、ユーザー操作に応じて任意に設定されたソート条件に従って、前記仮締め対象データについての調剤順序が決定されてもよい。また、他の実施形態では、当該ステップＳ１５で決定された調剤順序が、必要に応じてユーザー操作に応じて変更されてもよい。
【０１７７】
＜ステップＳ１６＞
ステップＳ１６において、前記制御部１１は、前記ステップＳ１４で取得された前記実装情報と、前記ステップＳ１５で決定された調剤順序とに基づいて、前記薬品充填指示書Ｆ１、前記取り揃え指示書Ｆ２、前記半錠薬品指示書Ｆ３、前記調剤手順指示書Ｆ４、前記ヒート薬品指示書Ｆ５などの前記作業情報を出力する。当該ステップＳ１６の処理は前記制御部１１の前記出力処理部１１２により実行される。
【０１７８】
例えば、前記制御部１１は、前記仮締め対象データに処方薬として含まれる払出対象の薬品毎の必要総量と、前記実装情報に示される前記薬品カセット４１における前記薬品の在庫量とに基づいて、図１２及び図１３に示される前記薬品充填指示書Ｆ１の印刷データを生成し、前記プリンター２に送信する。
【０１７９】
また、前記制御部１１は、前記仮締め対象データに処方薬として含まれる払出対象の薬品のうち、前記手撒きユニット４３を使用して払い出すべき薬品の総量と、前記可変カセット４１Ｂを使用して払い出すべき薬品の総量とに基づいて、図１４及び図１５に示される前記取り揃え指示書Ｆ２の印刷データを生成し、前記プリンター２に送信する。
【０１８０】
また、前記制御部１１は、前記仮締め対象データに処方薬として含まれる払出対象の薬品のうち、半錠又は１／４錠の錠剤として払い出すべき薬品の個数に基づいて、図１６に示される前記半錠薬品指示書Ｆ３の印刷データを生成し、前記プリンター２に送信する。
【０１８１】
また、前記制御部１１は、前記実装情報と前記ステップＳ１５で決定された調剤順序とに基づいて、前記調剤順序に従って調剤動作が行われた場合の前記薬品カセット４１各々における薬品の在庫量の推移をシミュレーションによって算出する。そして、前記制御部１１は、前記シミュレーションの結果に基づいて、前記充填作業の作業内容及び作業タイミングと、前記実装カセット入替作業の作業内容及び作業タイミングとを決定する。
【０１８２】
具体的に、前記制御部１１は、前記充填作業の回数ができる限り少なくなるように、前記充填作業の作業内容及び作業タイミングを決定する。例えば、複数の施設の調剤動作において同一の薬品が払い出される場合、前記制御部１１は、施設ごとに前記充填作業を行うのではなく、前記複数の施設の調剤動作を実行するのに必要となる数量の薬品を１回の前記充填作業で充填するように、前記充填作業の作業内容及び作業タイミングを決定する。これにより、前記充填作業の回数が減るので、調剤業務の効率を向上させることができる。
【０１８３】
また、前記制御部１１は、複数の薬品についての前記充填作業の作業タイミングができる限り同じタイミングとなるように、前記充填作業の作業タイミングを決定する。また、前記制御部１１は、複数の前記薬品カセット４１についての前記充填カセット入替作業の作業タイミングができる限り同じタイミングとなるように、前記充填カセット入替作業の作業タイミングを決定する。また、前記制御部１１は、前記充填作業の作業タイミングと前記充填カセット入替作業の作業タイミングとができる限り同じタイミングとなるように、前記充填作業及び前記充填カセット入替作業の作業タイミングを決定する。これにより、作業者は、前記充填作業又は前記充填カセット入替作業を集中的に行うことができるので、調剤業務の効率を向上させることができる。
【０１８４】
また、前記制御部１１は、前記仮締め対象データに対応する調剤動作において、遅くとも第１タイミング（例えば、処方データＡの調剤動作が実行されている最中のタイミング）までに前記薬品払出装置４に第１薬品を充填する必要があり、遅くとも前記第１タイミングよりも後の第２タイミング（例えば、処方データＢの調剤動作が実行されている最中のタイミング）までに前記薬品払出装置４に第２薬品を充填する必要がある場合に、前記第２薬品の前記充填作業の作業タイミングを前記第１タイミングと同じか又は前記第１タイミングよりも前のタイミングである第３タイミング（例えば、処方データＡの調剤動作が開始される直前のタイミング）に決定してもよい。これにより、異なるタイミングで行われ得る複数の薬品についての前記充填作業を、同じタイミングでまとめて行うように作業者に促すことができるので、前記充填作業の効率を向上させることができる。また、前記制御部１１は、前記仮締め対象データに対応する調剤動作において、遅くとも第１タイミング（例えば、処方データＡの調剤動作が実行されている最中のタイミング）までに前記薬品払出装置４に第１の前記薬品カセット４１を装着する必要があり、遅くとも前記第１タイミングよりも後の第２タイミング（例えば、処方データＢの調剤動作が実行されている最中のタイミング）までに前記薬品払出装置４に前記第１の前記薬品カセット４１とは異なる第２の前記薬品カセット４１を装着する必要がある場合に、前記第２の前記薬品カセット４１についての前記実装カセット入替作業の作業タイミングを前記第１のタイミングと同じか又は前記第１タイミングよりも前のタイミングである第３タイミング（例えば、処方データＡの調剤動作が開始される直前のタイミング）に決定してもよい。これにより、異なるタイミングで行われ得る複数の前記薬品カセット４１についての前記実装カセット入替作業を、同じタイミングでまとめて行うように作業者に促すことができるので、前記実装カセット入替作業の効率を向上させることができる。具体的に、図１３に示されるＡ施設及びＢ施設の前記薬品充填指示書Ｆ１ｂ各々に示されている例では、仮にＡ施設の調剤開始時に、Ａ施設に関する調剤動作で必要なＡ薬品、Ｃ薬品、Ｅ薬品について最小限の充填だけが行われると、Ｂ施設の調剤開始時にも、そのＢ施設の調剤動作で必要なＡ薬品、Ｃ薬品、Ｅ薬品を充填する必要が生じる。これに対し、図１３の前記薬品充填指示書Ｆ１ｂ各々に示されているように、Ａ施設の調剤開始時に充填するＡ薬品、Ｃ薬品、Ｅ薬品の量が、Ｂ施設の調剤動作で必要な薬品量を含む値となっており、Ｂ施設の調剤開始時にはＡ薬品、Ｃ薬品、Ｅ薬品の充填が不要となっている。そのため、全施設についての調剤動作における薬品の充填回数を減らすことが可能である。また、Ａ施設及びＢ施設の前記薬品充填指示書Ｆ１ｂ各々に示されている例では、Ｆ薬品について、本来はＡ施設に関する調剤開始時には充填が不要であるが、Ａ施設についての調剤開始時に他の薬品と同じタイミングで充填されることにより、Ｂ施設の調剤開始時における充填作業が省略されます。前記制御部１１は、このようにして決定された前記充填作業の作業内容及び作業タイミングと、前記実装カセット入替作業の作業内容及び作業タイミングとに基づいて、図１７及び図１８に示されるような前記調剤手順指示書Ｆ４の印刷データを例えば施設ごとに生成し、前記プリンター２に送信する。
【０１８５】
また、前記制御部１１は、前記仮締め対象データに処方薬として含まれる払出対象の薬品のうち、ＰＴＰシート又はヒートシールに収容された状態で施設に配送すべき薬品の総量に基づいて、図１９に示される前記ヒート薬品指示書Ｆ５の印刷データを生成し、前記プリンター２に送信する。
【０１８６】
当該ステップＳ１６における前記作業情報の出力が完了すると、前記仮締め処理は終了する。なお、前記仮締め処理の対象となった複数の前記仮締め対象データは、本締め待ちグループとして前記記憶部１２に記憶される。すなわち、前記仮締め処理が実行されるごとに、前記本締め待ちグループが生成されて、前記記憶部１２に記憶される。なお、この時点では、前記本締め待ちグループについての調剤動作はまだ開始されない。
【０１８７】
前記仮締め処理が終了すると、作業者は、前記プリンター２から出力された前記作業情報を参照しつつ、前記本締め待ちグループについての調剤動作を開始するための準備作業を行う。具体的に、前記作業者は、図１７及び図１８に示される前記調剤手順指示書Ｆ４を参照して、前記本締め待ちグループについての調剤動作の開始前に行うべき前記充填作業又は前記実装カセット入替作業を行う。なお、本実施形態では、前記手撒きユニット４３も前記可変カセット４１Ｂも使用せずに調剤される前記仮締め対象データから調剤されるので、前記取り揃え作業、前記錠剤カット作業、及び前記手撒き作業については、前記本締め待ちグループについての調剤動作が開始された後に行っても構わない。
【０１８８】
なお、前記ステップＳ１６で出力された前記作業情報のデータが前記記憶部１２に保存されてもよい。そして、必要に応じて任意のタイミングでユーザー操作に応じて前記作業情報が再発行（すなわち、前記プリンター２から出力）されてもよい。
【０１８９】
［本締め処理］
次に、図２１を参照しつつ、前記調剤支援装置１の前記制御部１１により実行される本締め処理の手順の一例について説明する。前記本締め処理は、例えば、前記表示部１４に表示されるメニュー画面（不図示）に含まれる［本締め］ボタンが操作されたことに応じて開始される。なお、前記仮締め処理の終了後に、前記本締め処理が自動的に開始されてもよい。なお、本発明は、前記仮締め処理及び前記本締め処理を実行することによって調剤業務を支援する調剤支援方法の発明として捉えてもよい。
【０１９０】
＜ステップＳ２１＞
まず、ステップＳ２１において、前記制御部１１は、前記表示部１４に本締め画面Ｐ２を表示させる。図２３は、前記本締め画面Ｐ２の一例を示す図である。前記本締め画面Ｐ２には、前記本締め待ちグループの一覧が表示される。前記本締め画面Ｐ２には、複数のチェックボックスＣ２１、操作キーＫ２１などが含まれる。
【０１９１】
前記本締め画面Ｐ２では、前記本締め待ちグループごとに、「締め日付」、「締め時間」、「服用開始日」、「施設」などの情報が表示される。前記「締め日付」は、前記本締め待ちグループについての前記仮締め処理が実行された日付を示す。前記「締め時間」は、前記本締め待ちグループについての前記仮締め処理が実行された時刻を示す。前記「服用開始日」は、前記本締め待ちグループに基づいて調剤された薬品の服用開始日を示す。前記「施設」は、前記本締め待ちグループに基づいて調剤された薬品の配送先を示す。
【０１９２】
＜ステップＳ２２＞
ステップＳ２２において、前記制御部１１は、ユーザー操作に応じて、前記本締め画面Ｐ２に表示されている一又は複数の前記本締め待ちグループの中から一又は複数の前記本締め待ちグループを本締め対象グループとして選択する。具体的に、前記制御部１１は、前記チェックボックスＣ２１に対するユーザー操作に応じて、前記本締め待ちグループの中から一又は複数の前記本締め待ちグループを本締め対象グループとして選択する。
【０１９３】
なお、他の実施形態では、前記本締め画面Ｐ２が表示された時点で、前記本締め画面Ｐ２に表示されている一又は複数の前記本締め待ちグループのうち、前記仮締め処理が実行された日時が最も早い前記本締め待ちグループが、前記本締め対象グループとして自動的に選択されてもよい。
【０１９４】
なお、前記本締め画面Ｐ２に表示されている複数の前記本締め待ちグループのうち、前記仮締め処理が実行された日時が最も早い前記本締め待ちグループとは異なる前記本締め待ちグループが前記本締め対象グループとして選択された場合、前記制御部１１は、前記表示部１４に警告メッセージを表示してもよい。前記警告メッセージは、例えば、「仮締め処理された順番とは異なる順番で調剤されると、調剤手順指示書に示されるタイミングとは異なるタイミングで充填作業又は実装カセット入替作業などが発生するおそれがあります。」というメッセージである。もしくは、前記制御部１１は、前記仮締め処理が実行された日時が最も早い前記本締め待ちグループの選択操作のみを受け付けて、その他の前記本締め待ちグループの選択操作は受け付けないようにしてもよい。
【０１９５】
＜ステップＳ２３＞
ステップＳ２３において、前記制御部１１は、予め定められた本締め操作が行われたか否かを判断する。具体的に、前記制御部１１は、前記本締め画面Ｐ２に含まれる前記操作キーＫ２１が操作された場合に、前記本締め操作が行われたと判断する。そして、前記本締め操作が行われたと判断されると（Ｓ２３：Ｙｅｓ）、前記制御部１１は、処理をステップＳ２４に移行させる。一方、前記本締め操作が行われていないと判断されると（Ｓ２３：Ｎｏ）、前記制御部１１は、処理を前記ステップＳ２２に戻す。
【０１９６】
＜ステップＳ２４＞
ステップＳ２４において、前記制御部１１は、前記本締め対象グループについての調剤動作の実行を開始させる。具体的に、前記制御部１１は、前記本締め対象グループに対応する複数の前記処方データを、前記仮締め処理の前記ステップＳ１５において決定された調剤順序に従って前記薬品払出装置４に送信する。その結果、前記薬品払出装置４では、前記仮締め処理の前記ステップＳ１５において決定された調剤順序に従って前記複数の処方データに基づく調剤動作が実行される。
【０１９７】
なお、前記本締め対象グループが複数の場合は、前記制御部１１は、前記仮締め処理が実行された日時が早い順に、前記本締め対象グループについての調剤動作の実行を開始させる。
【０１９８】
前記本締め対象グループについての調剤動作が開始されると、作業者は、前記作業情報を参照しつつ、前記取り揃え作業、前記錠剤カット作業、前記手撒き作業、前記ピッキング作業などを行う。また、前記作業者は、前記調剤手順指示書Ｆ４に従って、前記本締め対象グループについての調剤動作の途中で必要に応じて前記充填作業又は前記実装カセット入替作業を行う。また、前記作業者は、調剤された薬品を監査する作業、調剤された薬品を配送先ごとに一箇所に集める作業なども行う。
【０１９９】
なお、前記制御部１１は、前記本締め対象グループに対応する複数の前記処方データを、前記仮締め処理の前記ステップＳ１５において決定された調剤順序に従って、１つずつ前記薬品払出装置４に送信してもよい。すなわち、前記制御部１１は、直前に送信した前記処方データについての調剤動作が完了したことに応じて、次の前記処方データを前記薬品払出装置４に送信してもよい。
【０２００】
また、前記制御部１１は、前記薬品払出装置４から前記実装情報を随時に取得し、前記調剤手順指示書Ｆ４に示された通りに前記充填作業及び前記実装カセット入替作業が行われているか否かを監視してもよい。そして、前記調剤手順指示書Ｆ４に示された通りに前記充填作業及び前記実装カセット入替作業が行われていないことが確認された場合、前記制御部１１は、前記薬品払出装置４における調剤動作を一時的に停止させて、その旨を示す警告メッセージを前記表示部１４に表示させてもよい。
【０２０１】
以上のように、本実施形態に係る調剤支援システム１０では、前記薬品払出装置４により複数の処方データに対応する調剤動作（分包動作）が実行される場合に、前記複数の処方データと前記実装情報とに基づいて、前記複数の処方データに対応する調剤動作を実行するために必要となる薬品の準備に関する作業内容を示す作業情報が出力される。作業者は、前記作業情報に基づいて、前記複数の処方データに対応する調剤動作を実行するために必要となる薬品の準備に関する作業を効率良く行うことができる。よって、本実施形態に係る調剤支援システム１０によれば、調剤業務の効率を向上させることが可能である。
【０２０２】
なお、本実施形態では、前記複数の処方データに対応する調剤動作が１台の前記薬品払出装置４によって実行されるが、本発明はこれに限定されない。他の実施形態では、前記複数の処方データに対応する調剤動作が複数台の前記薬品払出装置４又は調剤機器によって分担して実行されてもよい。
【０２０３】
また、本実施形態では、前記複数の処方データに基づいて前記薬品払出装置４において錠剤の分包処理が実行されるが、本発明はこれに限定されない。他の実施形態では、前記複数の処方データに基づいて調剤機器において、散薬の分包処理、錠剤及び散薬を服用時期ごとに一包化する処理、水剤の払出処理、ＰＴＰシート又はヒートシールの払出処理などが実行されてもよい。
【０２０４】
ところで、前述したように、前記仮締め対象データについての調剤順序は、ユーザー操作に応じて任意に設定されるソート条件に従って決定されてもよい。例えば、図２４に示されるように、前記締め管理画面Ｐ１に前記仮締め対象データについての調剤順序を入力順で並び替えるか否かを設定するための操作キーＫ１３が表示される。そして、前記制御部１１は、任意のタイミングでユーザーによって前記操作キーＫ１３が操作された場合に、図２４に示される設定画面Ｐ１１を前記表示部１４に表示させる。
【０２０５】
前記設定画面Ｐ１１には、操作部Ｋ１１１〜Ｋ１１４が表示される。前記操作部Ｋ１１１、Ｋ１１２は、前記仮締め対象データの調剤順序を入力順で並び替えるか否かを択一的に選択するためのラジオボタンである。なお、前記制御部１１は、前記調剤支援装置１の初期設定として、前記仮締め対象データの調剤順序を入力順で並び替えるか否かをユーザー操作に応じて設定可能であってもよい。
【０２０６】
前記制御部１１は、前記操作部Ｋ１１３が操作された場合に、前記設定画面Ｐ１１における前記仮締め対象データの調剤順序を入力順で並び替えるか否かについての設定を確定する。また、前記制御部１１は、前記操作部Ｋ１１４が操作された場合には、前記設定画面Ｐ１１における前記仮締め対象データの調剤順序の入力順の設定をキャンセルして当該設定画面Ｐ１１を閉じる。
【０２０７】
また、前記設定画面Ｐ１１には、前記仮締め対象データの調剤順序を入力順で並び替えるか否かの設定状況が表示される表示領域Ａ１３が含まれる。例えば、前記仮締め対象データの調剤順序を入力順で並び替える旨が設定されている場合には、前記表示領域Ａ１３に「入力順／並び替えする」と表示され、前記仮締め対象データの調剤順序を入力順で並び替えない旨が設定されている場合には、前記表示領域Ａ１３に「入力順／並び替えしない」と表示される。
【０２０８】
そして、前記ステップＳ１５において、前記制御部１１は、前記仮締め対象データの調剤順序を入力順で並び替えるか否かの設定に応じて前記仮締め対象データの調剤順序を決定する。具体的に、前記仮締め対象データの調剤順序を入力順で並び替える旨が設定されている場合、前記制御部１１は、前記仮締め対象データの調剤順序を入力順で並び替える。一方、前記仮締め対象データの調剤順序を入力順で並び替えない旨が設定されている場合、前記制御部１１は、前記仮締め対象データの調剤順序を入力順で並び替えず、前述したように配送先のグループごとに順次に調剤動作が実行されるように前記仮締め対象データの調剤順序を決定する等の他の決定方法によって調剤順序を決定する。
【０２０９】
なお、前記制御部１１は、前記処方データが前記上位システム９から前記調剤支援装置１に入力された日時、又は前記処方データが前記調剤支援装置１に直接入力された日時に基づいて前記仮締め対象データ各々の入力順を判断することが考えられる。そのため、前記制御部１１は、前記処方データが前記上位システム９から前記調剤支援装置１に入力された場合、又は前記処方データが前記調剤支援装置１に直接入力された場合に、その入力日時を前記処方データに対応付けて記憶部１２に記憶する。なお、前記直接入力には、前記操作部１５を用いて前記処方データが前記調剤支援装置１に入力されること、又は、前記調剤支援装置１に接続されるバーコードリーダー（不図示）を用いて処方箋の一次元バーコード又は二次元バーコードなどが読み取られることによって前記調剤支援装置１に前記処方データが入力されること等が含まれる。
【０２１０】
また、他の実施形態として、前記制御部１１が、前記ステップＳ１２で前記仮締め対象データの選択が行われたと判断した場合に、前記設定画面Ｐ１１を表示させ、当該設定画面Ｐ１１で前記操作キーＫ１３が操作された場合に処理を前記ステップＳ１３に移行させることも考えられる。さらに、他の実施形態として、前記制御部１１が、前記ステップＳ１３で前記仮締め操作が行われたと判断した場合に、前記設定画面Ｐ１１を表示させ、当該設定画面Ｐ１１で前記操作キーＫ１３が操作された場合に処理を前記ステップＳ１４に移行させることも考えられる。これらの構成によれば、前記仮締め処理ごとに前記設定画面Ｐ１１における前記仮締め対象データの調剤順序を入力順で並び替えるか否かの設定をユーザーに確実に認識させることができ、ユーザーは必要に応じてその設定を変更することができる。
【０２１１】
また、前記制御部１１は、前記締め管理画面Ｐ１における前記仮締め対象データの選択手法は、前述した前記処方表示領域Ａ１１における前記マスの選択に限らない。例えば、前記締め管理画面Ｐ１において、ユーザー操作によって調剤支援装置１に直接入力された一又は複数の処方データからユーザー操作によって選択される一又は複数の処方データを前記仮締め対象データとして個別に選択することが可能であってもよい。これにより、前記件数表示領域Ａ１１に表示されている施設単位（マス単位）だけでなく、処方データ単位で前記仮締め対象データを選択することが可能である。例えば、前記制御部１１が、ユーザー操作に応じて、前記処方表示領域Ａ１１の表示を施設単位の件数表示と施設ごとの処方データの表示との間で切り替え可能であることが考えられる。また、前記制御部１１が、前記処方表示領域Ａ１１に、図２２に示されているように施設単位の件数を表示させると共に、前記上位システム９から入力された処方データではなく前記調剤支援装置１に直接入力された処方データの一覧を表示させることも考えられる。そして、前記制御部１１は、ユーザーによる前記施設単位の件数又は前記処方データの任意の選択操作に応じて前記仮締め対象データを選択する。なお、前記制御部１１は、前記施設単位又は前記処方データ単位で前記仮締め対象データの調剤順序の並び替えの設定を受け付け、前記施設単位又は前記処方データ単位で調剤順序の並び替えを行うことが可能であってもよい。例えば、前記制御部１１は、複数の処方データが前記仮締め対象データとして選択されている場合に当該複数の処方データにおける調剤順序の設定についてユーザー操作を受け付けること、又は、前記施設単位で前記仮締め対象データが選択されるごとに当該仮締め対象データにおける調剤順序の設定のユーザー操作を受け付けることが考えられる。これにより、一度の仮締め処理において、調剤順序の設定を複数の処方データごとに個別に設定することが可能である。
【符号の説明】
【０２１２】
１０  ：調剤支援システム
１    ：調剤支援装置
１１  ：制御部
１１１：取得処理部
１１２：出力処理部
１１３：決定処理部
１１４：警告処理部
１２  ：記憶部
１３  ：通信ＩＦ
１４  ：表示部
１５  ：操作部
１６  ：ドライブ装置
２    ：プリンター
４    ：薬品払出装置
４１  ：薬品カセット
４１Ａ：固定カセット
４１Ｂ：可変カセット
４３  ：手撒きユニット
【図１】
2019202118.tif 000003
【図２】
2019202118.tif 000004
【図３】
2019202118.tif 000005
【図４】
2019202118.tif 000006
【図５】
2019202118.tif 000007
【図６】
2019202118.tif 000008
【図７】
2019202118.tif 000009
【図８】
2019202118.tif 000010
【図９】
2019202118.tif 000011
【図１０】
2019202118.tif 000012
【図１１】
2019202118.tif 000013
【図１２】
2019202118.tif 000014
【図１３】
2019202118.tif 000015
【図１４】
2019202118.tif 000016
【図１５】
2019202118.tif 000017
【図１６】
2019202118.tif 000018
【図１７】
2019202118.tif 000019
【図１８】
2019202118.tif 000020
【図１９】
2019202118.tif 000021
【図２０】
2019202118.tif 000022
【図２１】
2019202118.tif 000023
【図２２】
2019202118.tif 000024
【図２３】
2019202118.tif 000025
【図２４】
2019202118.tif 000026